(57)【要約】  タブレットＰＣ（１０）は、通信部（１１１、１１２）と、第１及び第２の信号の一方を受信するアンテナ端子（Ｔ１）と、第１及び第２の信号の他方を受信するアンテナ端子（Ｔ２）と、通信部（１１１）と端子（Ｔ１）とを接続すると共に通信部（１１２）と端子（Ｔ２）とを接続する第１の接続状態と、通信部（１１１）と端子（Ｔ２）とを接続すると共に通信部（１１２）と端子（Ｔ１）とを接続する第２の接続状態とを切り替える端子切替部（４０）と、端子（Ｔ１）に第１の信号を受信すると共に端子（Ｔ２）に第２の信号を受信する場合に、第１の接続状態に切り替えるように端子切替部（４０）を制御し、端子（Ｔ１）に第２の信号を受信すると共に端子（Ｔ２）に第１の信号を受信する場合に、第２の接続状態に切り替えるように端子切替部（４０）を制御する制御部（３０）とを備える。
2017145528.tif 000002
【特許請求の範囲】
【請求項１】
第１及び第２の通信部と、
第１及び第２の信号の一方を受信する第１のアンテナ端子と、
前記第１及び第２の信号の他方を受信する第２のアンテナ端子と、
前記第１の通信部と前記第１のアンテナ端子とを接続すると共に前記第２の通信部と前記第２のアンテナ端子とを接続する第１の接続状態と、前記第１の通信部と前記第２のアンテナ端子とを接続すると共に前記第２の通信部と前記第１のアンテナ端子とを接続する第２の接続状態とを切り替える端子切替部と、
前記第１のアンテナ端子に前記第１の信号を受信すると共に前記第２のアンテナ端子に前記第２の信号を受信する第１の受信状態において、前記第１の接続状態に切り替えるように前記端子切替部を制御し、前記第１のアンテナ端子に前記第２の信号を受信すると共に前記第２のアンテナ端子に前記第１の信号を受信する第２の受信状態において、前記第２の接続状態に切り替えるように前記端子切替部を制御する制御部と、
を備える無線通信装置。
【請求項２】
前記第１の通信部及び前記第２の通信部は、それぞれ、送受信用の通信モジュールであり、
前記第１の通信部の通信方式と、前記第２の通信部の通信方式とは互いに異なる、
請求項１に記載の無線通信装置。
【請求項３】
前記第１の信号は第１の外部アンテナで受信する信号であり、
前記第２の信号は第２の外部アンテナで受信する信号である、
請求項１に記載の無線通信装置。
【請求項４】
第１の内部アンテナと、
第２の内部アンテナと、
前記第１の通信部を前記第１の内部アンテナ又は前記端子切替部に接続する第１のアンテナ切替部と、
前記第２の通信部を前記第２の内部アンテナ又は前記端子切替部に接続する第２のアンテナ切替部と、
をさらに備える請求項１に記載の無線通信装置。
【請求項５】
前記第１の通信部及び前記第２の通信部は、それぞれ、ＧＰＳ、Ｂｌｕｅｔｏｏｔｈ、Ｗｉ−Ｆｉ、３Ｇ、及び、ＬＴＥのいずれかの通信方式に従う送受信用の通信モジュールである、
請求項２に記載の無線通信装置。
【請求項６】
請求項１〜５の何れか１項に記載の無線通信装置と、
前記無線通信装置を着脱可能に搭載し、前記第１の信号を出力する第３のアンテナ端子と、前記第２の信号を出力する第４のアンテナ端子とを有するベース部と、
を備える、
無線通信システム。
【請求項７】
前記第１の受信状態と前記第２の受信状態とを検出する検出部をさらに備える、
請求項６に記載の無線通信システム。
【請求項８】
無線通信装置と、
前記無線通信装置を搭載するベース部と、
を備え、
前記無線通信装置は、
第１及び第２の通信部と、
前記第１の通信部に接続される第１のアンテナ端子と、
前記第２の通信部に接続される第２のアンテナ端子と、
を有し、
前記ベース部は、
前記第１及び第２のアンテナ端子の一方に接続される第３のアンテナ端子と、
前記第１及び第２のアンテナ端子の他方に接続される第４のアンテナ端子と、
第１の信号を受信する第５のアンテナ端子と、
第２の信号を受信する第６のアンテナ端子と、
前記第３のアンテナ端子と前記第５のアンテナ端子とを接続すると共に前記第４のアンテナ端子と前記第６のアンテナ端子とを接続する第１の接続状態と、前記第３のアンテナ端子と前記第６のアンテナ端子とを接続すると共に前記第４のアンテナ端子と前記第５のアンテナ端子とを接続する第２の接続状態とを切り替える端子切替部と、
前記端子切替部を制御する制御部と、
を備え、
前記制御部は、前記第１のアンテナ端子と前記第３のアンテナ端子とが接続されると共に前記第２のアンテナ端子と前記第４のアンテナ端子とが接続されるように前記無線通信装置が前記ベース部に搭載されたときは、前記第１の接続状態に切り替え、前記第１のアンテナ端子と前記第４のアンテナ端子とが接続されると共に前記第２のアンテナ端子と前記第３のアンテナ端子とが接続されるように前記無線通信装置が前記ベース部に搭載されたときは、前記第２の接続状態に切り替えるように、前記端子切替部を制御する、
無線通信システム。
【発明の詳細な説明】
【技術分野】
【０００１】
本開示は、外部アンテナを利用して無線通信を行うことができる無線通信装置及び無線通信システムに関する。
【背景技術】
【０００２】
特許文献１は、筐体内に設けられた内部アンテナと、筐体外に設けられた外部アンテナとを備える無線通信装置を開示する。この無線通信装置は、内部アンテナ及び外部アンテナの受信電界レベル（受信感度）を測定し、受信電界レベルが最もよいアンテナを選択するように内部アンテナと外部アンテナとを切り替える。
【先行技術文献】
【特許文献】
【０００３】
【特許文献１】特開２００４−３５６７９８号公報
【発明の概要】
【０００４】
本開示における無線通信装置は、第１及び第２の通信部と、第１及び第２の信号の一方を受信する第１のアンテナ端子と、第１及び第２の信号の他方を受信する第２のアンテナ端子と、第１の通信部と第１のアンテナ端子とを接続すると共に第２の通信部と第２のアンテナ端子とを接続する第１の接続状態と、第１の通信部と第２のアンテナ端子とを接続すると共に第２の通信部と第１のアンテナ端子とを接続する第２の接続状態とを切り替える端子切替部と、第１のアンテナ端子に第１の信号を受信すると共に第２のアンテナ端子に第２の信号を受信する第１の受信状態において、第１の接続状態に切り替えるように端子切替部を制御し、第１のアンテナ端子に第２の信号を受信すると共に第２のアンテナ端子に第１の信号を受信する第２の受信状態において、第２の接続状態に切り替えるように端子切替部を制御する制御部とを備える。
【図面の簡単な説明】
【０００５】
【図１】図１は、実施の形態１にかかる情報処理装置１を、外部アンテナ３１、３２を有する車両２に搭載された様子を示す図である。
【図２】図２は、実施の形態１にかかる情報処理装置１の外観を示す図である。
【図３】図３は、図２におけるタブレットＰＣ１０の構成を示す図である。
【図４】図４は、図２におけるベース部２０のホルダ部２２０の構成を示す図である。
【図５】図５は、実施の形態１にかかる情報処理装置１の第１の搭載状態における電気的な構成を示すブロック図である。
【図６】図６は、実施の形態１にかかる情報処理装置１の第２の搭載状態における電気的な構成を示すブロック図である。
【図７】図７は、第１の搭載状態における制御部３０、３５間の電気的な接続を示す図である。
【図８】図８は、第２の搭載状態における制御部３０、３５間の電気的な接続を示す図である。
【図９】図９は、実施の形態２にかかる情報処理装置１Ａの第１の搭載状態における電気的な構成を示すブロック図である。
【図１０】図１０は、実施の形態２にかかる情報処理装置１Ａの第２の搭載状態における電気的な構成を示すブロック図である。
【図１１】図１１は、第１の搭載状態における制御部３０Ａ、３５Ａ間の電気的な接続を示す図である。
【図１２】図１２は、第２の搭載状態における制御部３０Ａ、３５Ａ間の電気的な接続を示す図である。
【発明を実施するための形態】
【０００６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって請求の範囲に記載の主題を限定することを意図するものではない。
【０００７】
（本開示に至った経緯）
以下に説明するタブレットＰＣは、送受信用通信部（Ｂｌｕｅｔｏｏｔｈ（登録商標、以下同様）、Ｗｉ−Ｆｉ（ＩＥＥＥ８０２．１１）、３Ｇ又はＬＴＥ等の通信方式に従う無線通信モジュール）と受信専用通信部（ＧＰＳ等の通信方式に従う無線通信モジュール）との２つの通信部を備える。このようなタブレットＰＣにおいては、送受信用通信部には送受信用アンテナが接続され、受信専用通信部には受信専用アンテナが接続される必要がある。さらに、この場合、タブレットＰＣでは、送受信用アンテナと受信専用アンテナとの２つの外部アンテナを利用するために、２つのアンテナ端子を備えることとなる。
【０００８】
本発明者らは、このようなタブレットＰＣを、例えば車両に搭載されたベース部に接続し、ベース部を介して車両に搭載された外部アンテナに接続することを想定した。
【０００９】
また、本発明者らは、タブレットＰＣを２つの異なる向きでベース部に接続できるシステムを想定した。このようなシステムにおいて、タブレットＰＣをベース部に対して異なる向きにそれぞれ接続すると、２つのアンテナ端子と２つの外部アンテナとの接続関係が異なってしまい、２つのアンテナ端子と、２つの外部アンテナが受信する２つの信号との関係が入れ替わってしまう。このため、２つの通信部と、２つの外部アンテナが受信する２つの信号との関係が入れ替わってしまい、それぞれの通信部で対応する信号が受信できなくなるという問題がある。
【００１０】
本開示は、２つの通信部と２つのアンテナ端子とを備える無線通信装置及び無線通信システムにおいて、２つのアンテナ端子が受信する２つの信号が入れ替わっても、２つの通信部がそれぞれ対応する信号を受信できる無線通信装置及び無線通信システムを提供する。
【００１１】
（実施の形態１）
以下、本開示の無線通信システムの一例として、実施の形態１の情報処理装置を図１〜８を用いて説明する。
【００１２】
［１−１．構成］
［１−１−１．外部アンテナ接続構成］
図１は、実施の形態１にかかる情報処理装置１が、外部アンテナ３１、３２を有する車両２に搭載された様子を示す図である。図１に示すように、情報処理装置１は、タブレットＰＣ（無線通信装置）１０と、タブレットＰＣ１０を搭載するベース部２０とを備える。ベース部２０は車両２に搭載され、ベース部２０の裏面には車両２に搭載された２つの外部アンテナ３１、３２が接続される。タブレットＰＣ１０はベース部２０を介して２つの外部アンテナ３１、３２に接続される。以下、情報処理装置１の詳細を説明する。
【００１３】
［１−１−２．情報処理装置の物理的な構成］
図２は、実施の形態１にかかる情報処理装置１の外観を示す図である。上述したように、情報処理装置１は、タブレットＰＣ１０とベース部２０とを備える。タブレットＰＣ１０は、表面側にディスプレイ（表示部）１００を備え、ディスプレイ１００上にはタッチパネル（操作部）１１０を備える。
【００１４】
ベース部２０は、キーボード２１１、タッチパッド２１２及び操作ボタン２１３等を含むキーボード部２１０と、タブレットＰＣ１０を搭載するためのホルダ部２２０とを有する。キーボード部２１０とホルダ部２２０とはヒンジ２３０によって連結されている。また、ホルダ部２２０にはリリース用レバー２４０が設けられている。リリース用レバー２４０は、タブレットＰＣ１０がホルダ部２２０に取り付けられた状態において、タブレットＰＣ１０をホルダ部２２０から取り外す際に操作される操作部材である。タブレットＰＣ１０をホルダ部２２０から取り外す際には、リリース用レバー２４０をスライドさせることで、ロックが解除され、タブレットＰＣ１０の取り外しが可能になる。
【００１５】
図３は、図２におけるタブレットＰＣ１０の構成を示す図である。図３に示すように、タブレットＰＣ１０の側面には、第１及び第２のアンテナ端子Ｔ１、Ｔ２と第１の制御端子Ｔ１１とが設けられる。第１及び第２のアンテナ端子Ｔ１、Ｔ２はタブレットＰＣ１０の左右方向に左右対称に設けられ、第１の制御端子Ｔ１１は第１及び第２のアンテナ端子Ｔ１、Ｔ２の間においてタブレットＰＣ１０の左右方向の略中央に設けられる。第１及び第２のアンテナ端子Ｔ１、Ｔ２は例えば同軸コネクタであり、第１の制御端子Ｔ１１は例えば２５個のピンを有するコネクタである。
【００１６】
図４は、図２におけるベース部２０のホルダ部２２０の構成を示す図である。図４に示すように、ベース部２０のホルダ部２２０は、第３及び第４のアンテナ端子Ｔ３、Ｔ４と第２の制御端子Ｔ２１とを有する。第３及び第４のアンテナ端子Ｔ３、Ｔ４はホルダ部２２０の左右方向に左右対称に設けられ、第２の制御端子Ｔ２１は、第３及び第４のアンテナ端子Ｔ３、Ｔ４との間においてホルダ部２２０の左右方向の略中央に設けられる。第３及び第４のアンテナ端子Ｔ３、Ｔ４は例えば同軸コネクタであり、第２の制御端子Ｔ２１は例えば２５個のピンを有するコネクタである。
【００１７】
タブレットＰＣ１０は、ベース部２０に対して着脱可能である。タブレットＰＣ１０は、ベース部２０から切り離されて単独で使用されることができる（例えば、図３を参照）。また、タブレットＰＣ１０は、ベース部２０のホルダ部２２０に搭載されて、ラップトップ型のＰＣとして使用されることができる（例えば、図２を参照）。
【００１８】
また、タブレットＰＣ１０及びベース部２０が左右対称な端子構成を有することにより、タブレットＰＣ１０はベース部２０のホルダ部２２０に対して２つの搭載状態で取り付けられることができる。第１の搭載状態では、タブレットＰＣ１０は、図２に示すように、タブレットＰＣ１０のディスプレイ１００及びタッチパネル１１０を有する表側がベース部２０のキーボード部２１０側に位置するようにホルダ部２２０に取り付けられる。一方、第２の搭載状態では、タブレットＰＣ１０は、第１の搭載状態に対して表裏反転してホルダ部２２０に取り付けられる。
【００１９】
［１−１−３．情報処理装置の電気的な構成］
図５は、実施の形態１にかかる情報処理装置１の第１の搭載状態における電気的な構成を示すブロック図であり、図６は、実施の形態１にかかる情報処理装置１の第２の搭載状態における電気的な構成を示すブロック図である。
【００２０】
図５に示すように、第１の搭載状態では、タブレットＰＣ１０の第１のアンテナ端子Ｔ１はベース部２０の第３のアンテナ端子Ｔ３に接続され、タブレットＰＣ１０の第２のアンテナ端子Ｔ２はベース部２０の第４のアンテナ端子Ｔ４に接続される。一方、図６に示すように、第２の搭載状態では、タブレットＰＣ１０の第１のアンテナ端子Ｔ１はベース部２０の第４のアンテナ端子Ｔ４に接続され、タブレットＰＣ１０の第２のアンテナ端子Ｔ２はベース部２０の第３のアンテナ端子Ｔ３に接続される。なお、第１及び第２の搭載状態のいずれにおいても、タブレットＰＣ１０の第１の制御端子Ｔ１１はベース部２０の第２の制御端子Ｔ２１に接続される。
【００２１】
タブレットＰＣ１０は、第１及び第２のアンテナ端子Ｔ１、Ｔ２と第１の制御端子Ｔ１１とに加えて、第１及び第２の通信部１１１、１１２と、第１及び第２の内部アンテナ１２１、１２２と、第１及び第２のアンテナ切替部１３１、１３２と、制御部３０と、端子切替部４０とを備える。
【００２２】
第１の通信部１１１は、Ｂｌｕｅｔｏｏｔｈ、Ｗｉ−Ｆｉ、３Ｇ、又は、ＬＴＥ等の通信方式に従った通信を行うための送受信用の通信モジュールである。第２の通信部１１２は、ＧＰＳ等の通信を行うための受信専用の通信モジュールである。なお、第１の通信部１１１と第２の通信部１１２とは一つの通信モジュールで構成されてもよい。
【００２３】
第１の内部アンテナ１２１は、Ｂｌｕｅｔｏｏｔｈ、Ｗｉ−Ｆｉ、３Ｇ、又は、ＬＴＥ等の通信方式に従う送受信用のアンテナである。第２の内部アンテナ１２２は、ＧＰＳ等の通信を行うための受信専用のアンテナである。
【００２４】
第１のアンテナ切替部１３１は、ベース部２０から受信したアンテナ切替信号（詳細は後述）に応じて、第１の通信部１１１と、第１の内部アンテナ１２１又は端子切替部４０（すなわち第１の外部アンテナ３１）との間の接続を切り替える。第２のアンテナ切替部１３２は、ベース部２０から受信したアンテナ切替信号に応じて、第２の通信部１１２と、第２の内部アンテナ１２２又は端子切替部４０（すなわち第２の外部アンテナ３２）との間の接続を切り替える。
【００２５】
制御部３０は、第１の制御端子Ｔ１１に接続される。制御部３０は、第１の制御端子Ｔ１１、ベース部２０における制御部３５及び第２の制御端子Ｔ２１と協働して、ベース部２０に対するタブレットＰＣ１０の搭載状態を検出する検出部として機能する。制御部３０は、検出したベース部２０に対するタブレットＰＣ１０の搭載状態を示す端子切替信号を出力する。端子切替信号は、例えば第１の搭載状態のときには「Ｈｉｇｈ」となり、第２の搭載状態のときには「Ｌｏｗ」となるように設定される。
【００２６】
端子切替部４０は、制御部３０からの端子切替信号に応じて、第１のアンテナ切替部１３１（すなわち第１の通信部１１１）と第１のアンテナ端子Ｔ１とを接続すると共に第２のアンテナ切替部１３２（すなわち第２の通信部１１２）と第２のアンテナ端子Ｔ２とを接続する第１の接続状態と、第１のアンテナ切替部１３１（すなわち第１の通信部１１１）と第２のアンテナ端子Ｔ２とを接続すると共に第２のアンテナ切替部１３２（すなわち第２の通信部１１２）と第１のアンテナ端子Ｔ１とを接続する第２の接続状態とを切り替える。
【００２７】
図５に示す第１の搭載状態では、端子切替部４０は、制御部３０からの「Ｈｉｇｈ」レベルの端子切替信号に基づき、第１のアンテナ切替部１３１を第１のアンテナ端子Ｔ１に接続し、第２のアンテナ切替部１３２を第２のアンテナ端子Ｔ２に接続するように切り替える。一方、図６に示す第２の搭載状態では、端子切替部４０は、制御部３０からの「Ｌｏｗ」レベルの端子切替信号に基づき、第１のアンテナ切替部１３１を第２のアンテナ端子Ｔ２に接続し、第２のアンテナ切替部１３２を第１のアンテナ端子Ｔ１に接続するように切り替える。
【００２８】
ベース部２０は、第３及び第４のアンテナ端子Ｔ３、Ｔ４と第２の制御端子Ｔ２１とに加え、第５及び第６のアンテナ端子Ｔ５、Ｔ６と、スイッチ２２と、制御部３５とを備える。
【００２９】
第５及び第６のアンテナ端子Ｔ５、Ｔ６は、ベース部２０の裏面に配置される。第５のアンテナ端子Ｔ５は、第３のアンテナ端子Ｔ３に接続されると共に第１の外部アンテナ３１に接続される。第６のアンテナ端子Ｔ６は、第４のアンテナ端子Ｔ４に接続されると共に第２の外部アンテナ３２に接続される。
【００３０】
これにより、図５に示す第１の搭載状態では、タブレットＰＣ１０の第１のアンテナ端子Ｔ１は、第１の外部アンテナ３１で受信する第１の信号を受信し、タブレットＰＣ１０の第２のアンテナ端子Ｔ２は、第２の外部アンテナ３２で受信する第２の信号を受信する（第１の受信状態）。一方、図６に示す第２の搭載状態では、タブレットＰＣ１０の第１のアンテナ端子Ｔ１は、第２の外部アンテナ３２で受信する第２の信号を受信し、タブレットＰＣ１０の第２のアンテナ端子Ｔ２は、第１の外部アンテナ３１で受信する第１の信号を受信する（第２の受信状態）。
【００３１】
第１の信号は、Ｂｌｕｅｔｏｏｔｈ、Ｗｉ−Ｆｉ、３Ｇ、又は、ＬＴＥ等の通信方式に従う信号であり、第１の外部アンテナ３１は、Ｂｌｕｅｔｏｏｔｈ、Ｗｉ−Ｆｉ、３Ｇ、又は、ＬＴＥ等の通信方式に従って通信を行うための送受信用のアンテナである。また、第２の信号は、ＧＰＳ等の通信方式に従う信号であり、第２の外部アンテナ３２は、ＧＰＳ等の通信を行うための受信専用のアンテナである。
【００３２】
スイッチ２２は、タブレットＰＣ１０において、第１及び第２の内部アンテナ１２１、１２２を利用するか、或いは第１及び第２の外部アンテナ３１、３２を利用するかをユーザが指定するためのスイッチである。スイッチ２２は、例えばベース部２０に設けられた機械的なスイッチであり、ユーザによって手動で操作される。スイッチ２２は、スイッチ２２の状態を示すアンテナ切替信号をタブレットＰＣ１０へ送信する。アンテナ切替信号は、スイッチ２２において、内部アンテナを利用するように設定されたときには「Ｈｉｇｈ」となり、外部アンテナを利用するように設定されたときには「Ｌｏｗ」となるように設定される。
【００３３】
制御部３５は、スイッチ２２及び第２の制御端子Ｔ２１に接続される。制御部３５は、第２の制御端子Ｔ２１、タブレットＰＣ１０における制御部３０及び第１の制御端子Ｔ１１と協働して、ベース部２０に対するタブレットＰＣ１０の搭載状態を検出する検出部として機能する。
【００３４】
［１−２．動作］
以上のように構成された情報処理装置１及びタブレットＰＣ１０について、その動作を以下に説明する。
【００３５】
まず、制御部３０、３５、及び、第１及び第２の制御端子Ｔ１１、Ｔ２１による、ベース部２０に対するタブレットＰＣ１０の第１の搭載状態、及び、第１の搭載状態に対して表裏反転した第２の搭載状態の検出について説明する。図７は、第１の搭載状態における制御部３０、３５間の電気的な接続を示す図であり、図８は、第２の搭載状態における制御部３０、３５間の電気的な接続を示す図である。
【００３６】
図７に示すように、第１の搭載状態では、第１の制御端子Ｔ１１のピンＰ１〜Ｐ２５はそれぞれ、第２の制御端子Ｔ２１のピンＰ１〜Ｐ２５に接続される。一方、図８に示すように、第２の接続状態では、第１の制御端子Ｔ１１のピンＰ１〜Ｐ２５はそれぞれ、第２の制御端子Ｔ２１のピンＰ２５〜Ｐ１に接続される。
【００３７】
タブレットＰＣ１０の制御部３０は、制御回路であるＥＣ（Embedded Computer）３３とＰチャネルトランジスタＴｒ１１、Ｔｒ１２とを備える。
【００３８】
ＥＣ３３のピンＩＯ１、ＩＯ２は、ベース部２０に対するタブレットＰＣ１０の搭載状態を検出するための端子である。ＥＣ３３のピンＩＯ１はトランジスタＴｒ１１のソース端子に接続され、トランジスタＴｒ１１のドレイン端子は接地される。トランジスタＴｒ１１のゲート端子は第１の制御端子Ｔ１１のピンＰ９に接続されると共に、抵抗素子を介して接地される。一方、ＥＣ３３のピンＩＯ２はトランジスタＴｒ１２のソース端子に接続され、トランジスタＴｒ１２のドレイン端子は接地される。トランジスタＴｒ１２のゲート端子は第１の制御端子Ｔ１１のピンＰ１７に接続されると共に、抵抗素子を介して接地される。
【００３９】
第１の搭載状態では、図７に示すように、トランジスタＴｒ１１のゲート端子には、ピンＰ９を介してベース部２０の制御部３５から基準電圧ＶＲＥＦが入力され、トランジスタＴｒ１１がオフ状態となる。このため、ＥＣ３３のピンＩＯ１は解放状態となる。一方、トランジスタＴｒ１２のゲート端子は、ピンＰ１７を介してグランド電位に接続され、トランジスタＴｒ１２がオン状態となる。このため、ＥＣ３３のピンＩＯ２は「Ｌｏｗ」レベルとなる。ＥＣ３３は、このように、ピンＩＯ１が解放状態となり、ピンＩＯ２がＬＯＷレベルとなるときに第１の搭載状態を検出して、第１の搭載状態を示す「Ｈｉｇｈ」レベルの端子切替信号を端子切替部４０に送信する。
【００４０】
一方、第２の接続状態では、図８に示すように、トランジスタＴｒ１１のゲート端子には、ピンＰ９及びピンＰ１７を介してグランド電位に接続され、トランジスタＴｒ１１がオン状態となる。このため、ＥＣ３３のピンＩＯ１は「Ｌｏｗ」レベルとなる。一方、トランジスタＴｒ１２のゲート端子には、ピンＰ１７及びピンＰ９を介してベース部２０の制御部３５から基準電圧ＶＲＥＦが入力され、トランジスタＴｒ１２がオフ状態となる。このため、ＥＣ３３のピンＩＯ２は解放状態となる。ＥＣ３３は、このように、ピンＩＯ１がＬＯＷレベルとなり、ピンＩＯ２が解放状態となるときに第２の搭載状態を検出して、第２の搭載状態を示す「Ｌｏｗ」レベルの端子切替信号を端子切替部４０に送信する。
【００４１】
また、ＥＣ３３のピンＩＯ３、ＩＯ４は、スイッチ２２からのアンテナ切替信号を受信するための端子である。ピンＩＯ３、ＩＯ４はスイッチ２２に接続される。ＥＣ３３は、第１及び第２の搭載状態のいずれであっても、ピンＩＯ３又はピンＩＯ４にスイッチ２２からアンテナ切替信号を受信する。
【００４２】
また、ＥＣ３３のピンＩＯ３、ＩＯ４は、タブレットＰＣ１０の単独使用状態も検出する。ＥＣ３３は、ＥＣ３３のピンＩＯ３、ＩＯ４が解放状態となるときに、タブレットＰＣ１０がベース部２０から取り外され、第１の制御端子Ｔ１１のピンＰ１、Ｐ２５が解放状態となったことを検出し、第１及び第２のアンテナ切替部１３１、１３２に「Ｈｉｇｈ」レベルのアンテナ切替信号を送信する。
【００４３】
［１−２−１．単独状態］
図３に示すようにタブレットＰＣ１０を単独で使用する場合、図７に示す第１の制御端子Ｔ１１のピンＰ１、Ｐ２５が解放状態となり、制御部３０のＥＣ３３のピンＩＯ３、ＩＯ４が解放状態となる。このとき、ＥＣ３３は、第１の通信部１１１を第１の内部アンテナ１２１に接続するように第１のアンテナ切替部１３１を制御する。同時に、ＥＣ３３は、第２の通信部１１２を第２の内部アンテナ１２２に接続するように第２のアンテナ切替部１３２を制御する（図５の第１及び第２のアンテナ切替部１３１、１３２において破線で示す）。
【００４４】
これにより、第１の通信部１１１は、第１の内部アンテナ１２１を用いて通信を行うことができ、第２の通信部１１２は、第２の内部アンテナ１２２を用いて通信を行うことができる。
【００４５】
［１−２−２．第１の搭載状態］
図２及び図５に示すように、タブレットＰＣ１０を第１の搭載状態でベース部２０のホルダ部２２０に取り付けた場合、タブレットＰＣ１０の第１のアンテナ端子Ｔ１はベース部２０の第３のアンテナ端子Ｔ３に接続され、第２のアンテナ端子Ｔ２はベース部２０の第４のアンテナ端子Ｔ４に接続される。このとき、図７に示すように、第１の制御端子Ｔ１１のピンＰ１〜Ｐ２５はそれぞれ、第２の制御端子Ｔ２１のピンＰ１〜Ｐ２５に接続される。
【００４６】
また、図７に示すように、制御部３０のトランジスタＴｒ１２のゲート端子が接地され、トランジスタＴｒ１２がオン状態となり、ＥＣ３３のピンＩＯ２が「Ｌｏｗ」となる。同時に、トランジスタＴｒ１１のゲート端子に基準電圧ＶＲＥＦが入力され、トランジスタＴｒ１１がオフ状態となり、ＥＣ３３のピンＩＯ１が開放状態となる。制御部３０のＥＣ３３は、第１の搭載状態を検出すると、「Ｈｉｇｈ」レベルの端子切替信号を端子切替部４０に送信し、図５に示すように、第１のアンテナ切替部１３１（すなわち第１の通信部１１１）を第１のアンテナ端子Ｔ１に接続すると共に、第２のアンテナ切替部１３２（すなわち第２の通信部１１２）を第２のアンテナ端子Ｔ２に接続するように端子切替部４０を制御する。
【００４７】
これにより、第１の通信部１１１は、第１の外部アンテナ３１を用いて通信を行うことができ、第２の通信部１１２は、第２の外部アンテナ３２を用いて通信を行うことができる。
【００４８】
ここで、タブレットＰＣ１０をベース部２０に搭載して車両内で使用する場合、車両内がシールドされていて第１及び第２の内部アンテナ１２１、１２２での通信が困難である。そのため、ユーザは第１及び第２の外部アンテナ３１、３２を使用するように、スイッチ２２を操作する。これにより、スイッチ２２からのアンテナ切替信号は「Ｌｏｗ」となるため、制御部３０のＥＣ３３のピンＩＯ３、ＩＯ４にＬＯＷレベルの信号が入力される。これにより、ＥＣ３３は、第１のアンテナ切替部１３１に「ＬＯＷレベル」のアンテナ切替信号を送信し、第１の通信部１１１を端子切替部４０（すなわち第１の外部アンテナ３１）に接続するように第１のアンテナ切替部１３１を制御する。同時に、ＥＣ３３は、第２のアンテナ切替部１３２に「ＬＯＷレベル」のアンテナ切替信号を送信し、第２の通信部１１２を端子切替部４０（すなわち第２の外部アンテナ３２）に接続するように第２のアンテナ切替部１３２を制御する（図５の第１及び第２のアンテナ切替部１３１、１３２において実線で示す）。
【００４９】
また、ユーザが第１及び第２の内部アンテナ１２１、１２２を使用するように、スイッチ２２を操作する場合は、スイッチ２２からのアンテナ切替信号は「Ｈｉｇｈ」となる。このため、制御部３０のＥＣ３３のピンＩＯ３、ＩＯ４にＨｉｇｈレベルの信号が入力される。これにより、ＥＣ３３は、第１のアンテナ切替部１３１に「ＨＩｇｈレベル」のアンテナ切替信号を送信し、第１の通信部１１１を第１の内部アンテナ１２１に接続するように第１のアンテナ切替部１３１を制御する。同時に、ＥＣ３３は、第２のアンテナ切替部１３２に「Ｈｉｇｈレベル」のアンテナ切替信号を送信し、第２の通信部１１２を第２の内部アンテナ１２２に接続するように第２のアンテナ切替部１３２を制御する（図５の第１及び第２のアンテナ切替部１３１、１３２において点線で示す）。
【００５０】
これにより、第１の通信部１１１は、第１の外部アンテナ３１及び第１の内部アンテナ１２１のいずれか一方を用いて通信を行うことができ、第２の通信部１１２は、第２の外部アンテナ３２及び第２の内部アンテナ１２２のいずれか一方を用いて通信を行うことができる。
【００５１】
［１−２−３．第２の搭載状態］
図６に示すように、タブレットＰＣ１０を第２の搭載状態でベース部２０のホルダ部２２０に取り付けた場合、タブレットＰＣ１０の第１のアンテナ端子Ｔ１はベース部２０の第４のアンテナ端子Ｔ４に接続され、第２のアンテナ端子Ｔ２はベース部２０の第３のアンテナ端子Ｔ３に接続される。このとき、図８に示すように、第１の制御端子Ｔ１１のピンＰ１〜Ｐ２５はそれぞれ、第２の制御端子Ｔ２１のピンＰ２５〜Ｐ１に接続される。
【００５２】
このとき、制御部３０のトランジスタＴｒ１１のゲート端子が接地され、トランジスタＴｒ１１がオン状態となり、ＥＣ３３のピンＩＯ１が「Ｌｏｗ」レベルとなる。同時に、トランジスタＴｒ１２のゲート端子に基準電圧ＶＲＥＦが入力され、トランジスタＴｒ１２がオフ状態となり、ＥＣ３３のピンＩＯ２が開放状態となる。制御部３０のＥＣ３３は、第２の接続状態を検出すると、「Ｌｏｗ」レベルの端子切替信号を端子切替部４０に送信し、図６に示すように、第１のアンテナ切替部１３１（すなわち第１の通信部１１１）を第２のアンテナ端子Ｔ２に接続すると共に、第２のアンテナ切替部１３２（すなわち第２の通信部１１２）を第１のアンテナ端子Ｔ１に接続するように端子切替部４０を制御する。
【００５３】
これにより、第２の搭載状態でも第１の搭載状態と同様に、第１の通信部１１１は、第１の外部アンテナ３１を用いて通信を行うことができ、第２の通信部１１２は、第２の外部アンテナ３２を用いて通信を行うことができる。
【００５４】
［１−３．効果等］
以上のように、本実施の形態において、タブレットＰＣ（無線通信装置）１０は、第１及び第２の通信部１１１、１１２と、第１及び第２のアンテナ端子Ｔ１、Ｔ２と、端子切替部４０と、制御部３０とを備える。第１のアンテナ端子Ｔ１は第１及び第２の信号の一方を受信し、第２のアンテナ端子Ｔ２は第１及び第２の信号の他方を受信する。端子切替部４０は、第１の通信部１１１と第１のアンテナ端子Ｔ１とを接続すると共に第２の通信部１１２と第２のアンテナ端子Ｔ２とを接続する第１の接続状態と、第１の通信部１１１と第２の端子Ｔ２とを接続すると共に第２の通信部１１２と第１のアンテナ端子Ｔ１とを接続する第２の接続状態とを切り替える。制御部３０は、第１のアンテナ端子Ｔ１に第１の信号を受信すると共に第２のアンテナ端子Ｔ２に第２の信号を受信する第１の受信状態において、第１の接続状態に切り替えるように端子切替部４０を制御し、第１のアンテナ端子Ｔ１に第２の信号を受信すると共に第２のアンテナ端子Ｔ２に第１の信号を受信する第２の受信状態において、第２の接続状態に切り替えるように端子切替部４０を制御する。
【００５５】
また、本実施の形態において、情報処理装置（無線通信システム）１は、上記タブレットＰＣ（無線通信装置）１０とベース部２０とを備える。ベース部２０は、タブレットＰＣ１０を着脱可能に搭載し、第１の信号を出力する第３のアンテナ端子Ｔ２と、第２の信号を出力する第４のアンテナ端子Ｔ４とを有する。上記第１の受信状態では、第１のアンテナ端子Ｔ１が第３のアンテナ端子Ｔ３に接続されると共に第２のアンテナ端子Ｔ２が第４のアンテナ端子Ｔ４に接続されるように、タブレットＰＣ１０がベース部２０に搭載され（第１の搭載状態）、上記第２の受信状態では、第１のアンテナ端子Ｔ１が第４のアンテナ端子Ｔ４に接続されると共に第２のアンテナ端子Ｔ２が第３のアンテナ端子Ｔ３に接続されるように、タブレットＰＣ１０がベース部２０に搭載される（第２の搭載状態）。
【００５６】
これにより、タブレットＰＣ（無線通信装置）１０が第１の搭載状態に対して表裏反転（１８０°回転）した第２の搭載状態でベース部２０に取り付けられ、第１のアンテナ端子Ｔ１と第２のアンテナ端子Ｔ２とが受信する信号が入れ替わっても、タブレットＰＣ１０が第１の搭載状態でベース部２０に取り付けられたときと同様に、第１の通信部１１１と第１の信号との関係、及び、第２の通信部１１２と第２の信号との関係が保持される。
【００５７】
言い換えれば、第１及び第２のアンテナ端子Ｔ１、Ｔ２と第１及び第２の外部アンテナ３１、３２との接続が入れ替わっても、第１の通信部１１１と第１の外部アンテナ３１との接続関係、及び、第２の通信部１１２と第２の外部アンテナ３２との接続関係が保持される。
【００５８】
（実施の形態２）
実施の形態１では、タブレットＰＣ１０内に端子切替部４０を備えた構成を説明した。これに対して、実施の形態２では、ベース部内に端子切替部を備えた構成を説明する。以下、図９〜図１２を用いて、実施の形態２を説明する。
【００５９】
図９は、実施の形態２にかかる情報処理装置１Ａの第１の搭載状態における電気的な構成を示すブロック図であり、図１０は、実施の形態２にかかる情報処理装置１Ａの第２の搭載状態における電気的な構成を示すブロック図である。情報処理装置１Ａは、タブレットＰＣ１０Ａとベース部２０Ａとを備える。
【００６０】
実施の形態２のタブレットＰＣ１０Ａは、実施の形態１のタブレットＰＣ１０と比較して、端子切替部４０を備えず、第１の通信部１１１に対する第１のアンテナ切替部１３１が第１のアンテナ端子Ｔ１に常時接続され、第２の通信部１１２に対する第２のアンテナ切替部１３２が第２のアンテナ端子Ｔ２に常時接続される点で異なる。
【００６１】
また、実施の形態２のタブレットＰＣ１０Ａは、制御部３５Ａを備える。制御部３５Ａは、第１の制御端子Ｔ１１に接続される。制御部３５Ａは、第１の制御端子Ｔ１１、ベース部２０Ａにおける制御部３０Ａ及び第２の制御端子Ｔ２１と協働して、ベース部２０Ａに対するタブレットＰＣ１０Ａの搭載状態を検出する検出部として機能する。
【００６２】
実施の形態２のベース部２０Ａは、実施の形態１のベース部２０と比較して、端子切替部４０をさらに備える点で異なる。端子切替部４０は、制御部３０Ａからの端子切替信号に応じて、第３のアンテナ端子Ｔ３と第５のアンテナ端子Ｔ５（すなわち第１の外部アンテナ３１）とを接続すると共に第４のアンテナ端子Ｔ４と第６のアンテナ端子Ｔ６（すなわち第２の外部アンテナ３２）とを接続する第１の接続状態と、第３のアンテナ端子Ｔ３と第６のアンテナ端子Ｔ６（すなわち第２の外部アンテナ３２）とを接続すると共に第４のアンテナ端子Ｔ４と第５のアンテナ端子Ｔ５（すなわち第１の外部アンテナ３１）とを接続する第２の接続状態とを切り替える。
【００６３】
ベース部２０Ａの制御部３０Ａは、ＥＣ３３とＰチャネルトランジスタＴｒ１１、Ｔｒ１２とを備える。
【００６４】
ＥＣ３３のピンＩＯ１、ＩＯ２は、ベース部２０Ａに対するタブレットＰＣ１０Ａの搭載状態を検出するための端子である。ピンＩＯ１はトランジスタＴｒ１１のソース端子に接続される。トランジスタＴｒ１１のドレイン端子は接地される。トランジスタＴｒ１１のゲート端子は第２の制御端子Ｔ２１のピンＰ９に接続されると共に、抵抗素子を介して接地される。一方、ピンＩＯ２はトランジスタＴｒ１２のソース端子に接続される。トランジスタＴｒ１２のドレイン端子は接地される。トランジスタＴｒ１２のゲート端子は第２の制御端子Ｔ２１のピンＰ１７に接続されると共に、抵抗素子を介して接地される。
【００６５】
タブレットＰＣ１０Ａの制御部３５Ａは、ＥＣ３６を備える。ＥＣ３６のピンＩＯ３、ＩＯ４は、スイッチ２２の状態を検出するための端子である。ＥＣ３６のピンＩＯ３、ＩＯ４はスイッチ２２に接続される。ＥＣ３６は、第１及び第２の搭載状態のいずれであっても、ピンＩＯ３又はピンＩＯ４を介してスイッチ２２からアンテナ切替信号を受信する。
【００６６】
図９に示す第１の搭載状態では、制御部３０Ａは「Ｈｉｇｈ」レベルの端子切替信号を出力し、端子切替部４０は、その端子切替信号に応じて、第３のアンテナ端子Ｔ３を第５のアンテナ端子Ｔ５に接続し、第４のアンテナ端子Ｔ４を第６のアンテナ端子Ｔ６に接続する。一方、図１０に示す第２の搭載状態では、制御部３０Ａは「Ｌｏｗ」レベルの端子切替信号を出力し、端子切替部４０は、その端子切替信号に応じて、第３のアンテナ端子Ｔ３を第６のアンテナ端子Ｔ６に接続し、第４のアンテナ端子Ｔ４を第５のアンテナ端子Ｔ５に接続する。
【００６７】
また、ベース部２０Ａの制御部３０Ａは、スイッチ２２及び第２の制御端子Ｔ２１に接続される。制御部３０Ａは、第２の制御端子Ｔ２１、タブレットＰＣ１０Ａにおける制御部３５Ａ及び第１の制御端子Ｔ１１と協働して、ベース部２０Ａに対するタブレットＰＣ１０Ａの搭載状態を検出する検出部として機能する。
【００６８】
以下、制御部３０Ａ、３５Ａ、及び、第１及び第２の制御端子Ｔ１１、Ｔ２１による、ベース部２０Ａに対するタブレットＰＣ１０Ａの第１及び第２の搭載状態の検出について説明する。図１１は、第１の搭載状態における制御部３０Ａ、３５Ａ間の電気的な接続を示す図であり、図１２は、第２の搭載状態における制御部３０Ａ、３５Ａ間の電気的な接続を示す図である。
【００６９】
図１１に示すように、第１の搭載状態では、第１の制御端子Ｔ１１のピンＰ１〜Ｐ２５はそれぞれ、第２の制御端子Ｔ２１のピンＰ１〜Ｐ２５に接続される。一方、図１２に示すように、第２の搭載状態では、第１の制御端子Ｔ１１のピンＰ１〜Ｐ２５はそれぞれ、第２の制御端子Ｔ２１のピンＰ２５〜Ｐ１に接続される。
【００７０】
第１の搭載状態では、図１１に示すように、トランジスタＴｒ１１のゲート端子には、ピンＰ９を介してタブレットＰＣ１０Ａの制御部３５Ａから基準電圧ＶＲＥＦが入力され、トランジスタＴｒ１１がオフ状態となる。このため、ＥＣ３３のピンＩＯ１は解放状態となる。一方、トランジスタＴｒ１２のゲート端子は、ピンＰ１７を介してグランド電位に接続され、トランジスタＴｒ１２がオン状態となる。このため、ＥＣ３３のピンＩＯ２は「Ｌｏｗ」レベルとなる。ＥＣ３３は、このように、ピンＩＯ１が解放状態となり、ピンＩＯ２がＬＯＷレベルとなるときに第１の搭載状態を検出して、第１の搭載状態を示す「Ｈｉｇｈ」レベルの端子切替信号を端子切替部４０に送信する。
【００７１】
一方、第２の接続状態では、図１２に示すように、トランジスタＴｒ１１のゲート端子には、ピンＰ９及びピンＰ１７を介してグランド電位に接続され、トランジスタＴｒ１１がオン状態となる。このため、ＥＣ３３のピンＩＯ１は「Ｌｏｗ」レベルとなる。一方、トランジスタＴｒ１２のゲート端子には、ピンＰ１７及びピンＰ９を介してタブレットＰＣ１０Ａの制御部３５Ａから基準電圧ＶＲＥＦが入力され、トランジスタＴｒ１２がオフ状態となる。このため、ＥＣ３３のピンＩＯ２は解放状態となる。ＥＣ３３は、このように、ピンＩＯ１がＬＯＷレベルとなり、ピンＩＯ２が解放状態となるときに第２の搭載状態を検出して、第２の搭載状態を示す「Ｌｏｗ」レベルの端子切替信号を端子切替部４０に送信する。
【００７２】
［第１の搭載状態］
タブレットＰＣ１０Ａを第１の搭載状態でベース部２０Ａのホルダ部に取り付けた場合、図９に示すように、タブレットＰＣ１０Ａの第１のアンテナ端子Ｔ１はベース部２０Ａの第３のアンテナ端子Ｔ３に接続され、第２のアンテナ端子Ｔ２はベース部２０Ａの第４のアンテナ端子Ｔ４に接続される。このとき、図１１に示すように、第１の制御端子Ｔ１１のピンＰ１〜Ｐ２５はそれぞれ、第２の制御端子Ｔ２１のピンＰ１〜Ｐ２５に接続される。
【００７３】
このとき、図１１に示すように、制御部３０ＡのトランジスタＴｒ１２のゲート端子の電位はグランド電位となり、トランジスタＴｒ１２がオン状態となり、ＥＣ３３のピンＩＯ２が「Ｌｏｗ」となる。同時に、トランジスタＴｒ１１のゲート端子に基準電圧ＶＲＥＦが入力され、トランジスタＴｒ１１がオフ状態となり、ＥＣ３３のピンＩＯ１が開放状態となる。このようなピンＩＯ１、ＩＯ２の状態に基づき、制御部３０ＡのＥＣ３３は、第１の搭載状態を検出して、「Ｈｉｇｈ」レベルの端子切替信号を端子切替部４０に送信する。これにより、図９に示すように、第３のアンテナ端子Ｔ３（すなわち第１の通信部１１１）が第５のアンテナ端子Ｔ５に接続されると共に、第４のアンテナ端子Ｔ４（すなわち第２の通信部１１２）が第６のアンテナ端子Ｔ６に接続されるように端子切替部４０が制御される。
【００７４】
これにより、第１の通信部１１１は、第１の外部アンテナ３１を用いて通信を行うことができ、第２の通信部１１２は、第２の外部アンテナ３２を用いて通信を行うことができる。
【００７５】
［第２の搭載状態］
一方、タブレットＰＣ１０Ａを第２の搭載状態でベース部２０Ａのホルダ部に取り付けた場合、図１０に示すように、タブレットＰＣ１０Ａの第１のアンテナ端子Ｔ１はベース部２０Ａの第４のアンテナ端子Ｔ４に接続され、第２のアンテナ端子Ｔ２はベース部２０Ａの第３のアンテナ端子Ｔ３に接続される。このとき、図１２に示すように、第１の制御端子Ｔ１１のピンＰ１〜Ｐ２５はそれぞれ、第２の制御端子Ｔ２１のピンＰ２５〜Ｐ１に接続される。
【００７６】
このとき、図１２に示すように、制御部３０ＡのトランジスタＴｒ１１のゲート端子の電位はグランド電位となり、トランジスタＴｒ１１がオン状態となり、ＥＣ３３のピンＩＯ１が「Ｌｏｗ」レベルとなる。同時に、制御部３０ＡのトランジスタＴｒ１２のゲート端子に基準電圧ＶＲＥＦが入力され、トランジスタＴｒ１２がオフ状態となり、ＥＣ３３のピンＩＯ２が開放状態となる。このようなピンＩＯ１、ＩＯ２の状態に基づき、制御部３０ＡのＥＣ３３は、第２の接続状態を検出して、「Ｌｏｗ」レベルの端子切替信号を端子切替部４０に送信する。これにより、図１０に示すように、第３のアンテナ端子Ｔ３（すなわち第１の通信部１１１）が第６のアンテナ端子Ｔ６に接続されると共に、第４のアンテナ端子Ｔ４（すなわち第２の通信部１１２）が第５のアンテナ端子Ｔ５に接続されるように端子切替部４０が制御される。
【００７７】
これにより、第２の搭載状態でも第１の搭載状態と同様に、第１の通信部１１１は、第１の外部アンテナ３１を用いて通信を行うことができ、第２の通信部１１２は、第２の外部アンテナ３２を用いて通信を行うことができる。
【００７８】
以上のように、本実施の形態でも、タブレットＰＣ（無線通信装置）１０Ａを第２の搭載状態でベース部２０Ａに搭載し、第１のアンテナ端子Ｔ１と第２のアンテナ端子Ｔ２とが受信する信号が入れ替わっても、タブレットＰＣ１０を第１の搭載状態でベース部２０Ａに搭載したときと同様に、第１の通信部１１１と第１の信号との関係、及び、第２の通信部１１２と第２の信号との関係が保持される。
【００７９】
言い換えれば、第１及び第２のアンテナ端子Ｔ１、Ｔ２と第１及び第２の外部アンテナ３１、３２との接続が入れ替わっても、第１の通信部１１１と第１の外部アンテナ３１との接続関係、及び、第２の通信部１１２と第２の外部アンテナ３２との接続関係が保持される。
【００８０】
（他の実施の形態）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記実施の形態１及び２で説明した各構成要素を組み合わせて、新たな実施の形態とすることも可能である。
【００８１】
本実施の形態では、第１の通信部１１１としてＢｌｕｅｔｏｏｔｈ、Ｗｉ−Ｆｉ、３Ｇ（第３世代移動通信システム）又はＬＴＥ（Long Term Evolution）等の通信方式に従った通信を行うための送受信用の通信モジュールを、第２の通信部１１２としてＧＰＳ等の通信を行うための受信専用の通信モジュールを説明したが、本開示はこれに限定されない。本開示の第１及び第２の通信部１１１、１１２は、ＧＰＳ（Global Positioning System）、Ｂｌｕｅｔｏｏｔｈ、Ｗｉ−Ｆｉ、３Ｇ及びＬＴＥ等のうちのいずれかの通信方式に従った通信を行うための送受信用の通信モジュールであってもよい。この場合、第１及び第２の内部アンテナ１２１、１２２、及び、第１及び第２の外部アンテナ３１、３２は、第１及び第２の通信部１１１、１１２の通信方式に対応した通信方式の送受信用アンテナであればよい。このような形態において、第１の通信部１１１の通信方式と第２の通信部１１２の通信方式とが互いに異なる場合に、本開示の思想が適用できる。
【００８２】
また、本実施の形態では、２つの通信部と２つのアンテナ端子とを備えるタブレットＰＣを説明したが、本開示はこれに限定されない。本開示の思想は、２つの通信部と２つのアンテナ端子とを備え、２つのアンテナ端子が受信する信号が入れ替わるような種々の装置に適用できる。
【００８３】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、請求の範囲またはその均等の範囲において種々の変更、置き換え、付加、省略などを行うことができる。
【産業上の利用可能性】
【００８４】
本開示は、外部アンテナを利用して無線通信を行うことができる無線通信装置に適用可能である。
【符号の説明】
【００８５】
１，１Ａ  情報処理装置（無線通信システム）
２  車両
３１，３２  第１及び第２の外部アンテナ
１０，１０Ａ  タブレットＰＣ（無線通信装置）
１１１，１１２  第１及び第２の通信部
１２１，１２２  第１及び第２の内部アンテナ
１３１，１３２  第１及び第２のアンテナ切替部
２０，２０Ａ  ベース部
２２  スイッチ
３０，３５，３０Ａ，３５Ａ  制御部（検出部）
３３，３６  ＥＣ
４０  端子切替部
１００  ディスプレイ
１１０  タッチパネル
２１０  キーボード部
２１１  キーボード
２１２  タッチパッド
２１３  操作ボタン
２２０  ホルダ部
２３０  ヒンジ
２４０  リリース用レバー
Ｔ１，Ｔ２  第１及び第２のアンテナ端子
Ｔ３，Ｔ４  第３及び第４のアンテナ端子
Ｔ５，Ｔ６  第５及び第６のアンテナ端子
Ｔ１１，Ｔ２１  第１及び第２の制御端子
【図１】
2017145528.tif 000003
【図２】
2017145528.tif 000004
【図３】
2017145528.tif 000005
【図４】
2017145528.tif 000006
【図５】
2017145528.tif 000007
【図６】
2017145528.tif 000008
【図７】
2017145528.tif 000009
【図８】
2017145528.tif 000010
【図９】
2017145528.tif 000011
【図１０】
2017145528.tif 000012
【図１１】
2017145528.tif 000013
【図１２】
2017145528.tif 000014
【手続補正書】
【提出日】平成30年4月26日(2018.4.26)
【手続補正１】
【補正対象書類名】明細書
【補正対象項目名】全文
【補正方法】変更
【補正の内容】
【発明の詳細な説明】
【技術分野】
【０００１】
本開示は、外部アンテナを利用して無線通信を行うことができる無線通信装置及び無線通信システムに関する。
【背景技術】
【０００２】
特許文献１は、筐体内に設けられた内部アンテナと、筐体外に設けられた外部アンテナとを備える無線通信装置を開示する。この無線通信装置は、内部アンテナ及び外部アンテナの受信電界レベル（受信感度）を測定し、受信電界レベルが最もよいアンテナを選択するように内部アンテナと外部アンテナとを切り替える。
【先行技術文献】
【特許文献】
【０００３】
【特許文献１】特開２００４−３５６７９８号公報
【発明の概要】
【０００４】
本開示における無線通信装置は、第１及び第２の通信部と、第１及び第２の信号の一方を受信する第１のアンテナ端子と、第１及び第２の信号の他方を受信する第２のアンテナ端子と、第１の通信部と第１のアンテナ端子とを接続すると共に第２の通信部と第２のアンテナ端子とを接続する第１の接続状態と、第１の通信部と第２のアンテナ端子とを接続すると共に第２の通信部と第１のアンテナ端子とを接続する第２の接続状態とを切り替える端子切替部と、第１のアンテナ端子に第１の信号を受信すると共に第２のアンテナ端子に第２の信号を受信する第１の受信状態において、第１の接続状態に切り替えるように端子切替部を制御し、第１のアンテナ端子に第２の信号を受信すると共に第２のアンテナ端子に第１の信号を受信する第２の受信状態において、第２の接続状態に切り替えるように端子切替部を制御する制御部とを備える。
【図面の簡単な説明】
【０００５】
【図１】図１は、実施の形態１にかかる情報処理装置１を、外部アンテナ３１、３２を有する車両２に搭載された様子を示す図である。
【図２】図２は、実施の形態１にかかる情報処理装置１の外観を示す図である。
【図３】図３は、図２におけるタブレットＰＣ１０の構成を示す図である。
【図４】図４は、図２におけるベース部２０のホルダ部２２０の構成を示す図である。
【図５】図５は、実施の形態１にかかる情報処理装置１の第１の搭載状態における電気的な構成を示すブロック図である。
【図６】図６は、実施の形態１にかかる情報処理装置１の第２の搭載状態における電気的な構成を示すブロック図である。
【図７】図７は、第１の搭載状態における制御部３０、３５間の電気的な接続を示す図である。
【図８】図８は、第２の搭載状態における制御部３０、３５間の電気的な接続を示す図である。
【図９】図９は、実施の形態２にかかる情報処理装置１Ａの第１の搭載状態における電気的な構成を示すブロック図である。
【図１０】図１０は、実施の形態２にかかる情報処理装置１Ａの第２の搭載状態における電気的な構成を示すブロック図である。
【図１１】図１１は、第１の搭載状態における制御部３０Ａ、３５Ａ間の電気的な接続を示す図である。
【図１２】図１２は、第２の搭載状態における制御部３０Ａ、３５Ａ間の電気的な接続を示す図である。
【発明を実施するための形態】
【０００６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００７】
（本開示に至った経緯）
以下に説明するタブレットＰＣは、送受信用通信部（Ｂｌｕｅｔｏｏｔｈ（登録商標）、Ｗｉ−Ｆｉ（ＩＥＥＥ８０２．１１）、３Ｇ又はＬＴＥ等の通信方式に従う無線通信モジュール）と受信専用通信部（ＧＰＳ等の通信方式に従う無線通信モジュール）との２つの通信部を備える。このようなタブレットＰＣにおいては、送受信用通信部には送受信用アンテナが接続され、受信専用通信部には受信専用アンテナが接続される必要がある。さらに、この場合、タブレットＰＣでは、送受信用アンテナと受信専用アンテナとの２つの外部アンテナを利用するために、２つのアンテナ端子を備えることとなる。
【０００８】
本発明者らは、このようなタブレットＰＣを、例えば車両に搭載されたベース部に接続し、ベース部を介して車両に搭載された外部アンテナに接続することを想定した。
【０００９】
また、本発明者らは、タブレットＰＣを２つの異なる向きでベース部に接続できるシステムを想定した。このようなシステムにおいて、タブレットＰＣをベース部に対して異なる向きにそれぞれ接続すると、２つのアンテナ端子と２つの外部アンテナとの接続関係が異なってしまい、２つのアンテナ端子と、２つの外部アンテナが受信する２つの信号との関係が入れ替わってしまう。このため、２つの通信部と、２つの外部アンテナが受信する２つの信号との関係が入れ替わってしまい、それぞれの通信部で対応する信号が受信できなくなるという問題がある。
【００１０】
本開示は、２つの通信部と２つのアンテナ端子とを備える無線通信装置及び無線通信システムにおいて、２つのアンテナ端子が受信する２つの信号が入れ替わっても、２つの通信部がそれぞれ対応する信号を受信できる無線通信装置及び無線通信システムを提供する。
【００１１】
（実施の形態１）
以下、本開示の無線通信システムの一例として、実施の形態１の情報処理装置を図１〜８を用いて説明する。
【００１２】
［１−１．構成］
［１−１−１．外部アンテナ接続構成］
図１は、実施の形態１にかかる情報処理装置１が、外部アンテナ３１、３２を有する車両２に搭載された様子を示す図である。図１に示すように、情報処理装置１は、タブレットＰＣ（無線通信装置）１０と、タブレットＰＣ１０を搭載するベース部２０とを備える。ベース部２０は車両２に搭載され、ベース部２０の裏面には車両２に搭載された２つの外部アンテナ３１、３２が接続される。タブレットＰＣ１０はベース部２０を介して２つの外部アンテナ３１、３２に接続される。以下、情報処理装置１の詳細を説明する。
【００１３】
［１−１−２．情報処理装置の物理的な構成］
図２は、実施の形態１にかかる情報処理装置１の外観を示す図である。上述したように、情報処理装置１は、タブレットＰＣ１０とベース部２０とを備える。タブレットＰＣ１０は、表面側にディスプレイ（表示部）１００を備え、ディスプレイ１００上にはタッチパネル（操作部）１１０を備える。
【００１４】
ベース部２０は、キーボード２１１、タッチパッド２１２及び操作ボタン２１３等を含むキーボード部２１０と、タブレットＰＣ１０を搭載するためのホルダ部２２０とを有する。キーボード部２１０とホルダ部２２０とはヒンジ２３０によって連結されている。また、ホルダ部２２０にはリリース用レバー２４０が設けられている。リリース用レバー２４０は、タブレットＰＣ１０がホルダ部２２０に取り付けられた状態において、タブレットＰＣ１０をホルダ部２２０から取り外す際に操作される操作部材である。タブレットＰＣ１０をホルダ部２２０から取り外す際には、リリース用レバー２４０をスライドさせることで、ロックが解除され、タブレットＰＣ１０の取り外しが可能になる。
【００１５】
図３は、図２におけるタブレットＰＣ１０の構成を示す図である。図３に示すように、タブレットＰＣ１０の側面には、第１及び第２のアンテナ端子Ｔ１、Ｔ２と第１の制御端子Ｔ１１とが設けられる。第１及び第２のアンテナ端子Ｔ１、Ｔ２はタブレットＰＣ１０の左右方向に左右対称に設けられ、第１の制御端子Ｔ１１は第１及び第２のアンテナ端子Ｔ１、Ｔ２の間においてタブレットＰＣ１０の左右方向の略中央に設けられる。第１及び第２のアンテナ端子Ｔ１、Ｔ２は例えば同軸コネクタであり、第１の制御端子Ｔ１１は例えば２５個のピンを有するコネクタである。
【００１６】
図４は、図２におけるベース部２０のホルダ部２２０の構成を示す図である。図４に示すように、ベース部２０のホルダ部２２０は、第３及び第４のアンテナ端子Ｔ３、Ｔ４と第２の制御端子Ｔ２１とを有する。第３及び第４のアンテナ端子Ｔ３、Ｔ４はホルダ部２２０の左右方向に左右対称に設けられ、第２の制御端子Ｔ２１は、第３及び第４のアンテナ端子Ｔ３、Ｔ４との間においてホルダ部２２０の左右方向の略中央に設けられる。第３及び第４のアンテナ端子Ｔ３、Ｔ４は例えば同軸コネクタであり、第２の制御端子Ｔ２１は例えば２５個のピンを有するコネクタである。
【００１７】
タブレットＰＣ１０は、ベース部２０に対して着脱可能である。タブレットＰＣ１０は、ベース部２０から切り離されて単独で使用されることができる（例えば、図３を参照）。また、タブレットＰＣ１０は、ベース部２０のホルダ部２２０に搭載されて、ラップトップ型のＰＣとして使用されることができる（例えば、図２を参照）。
【００１８】
また、タブレットＰＣ１０及びベース部２０が左右対称な端子構成を有することにより、タブレットＰＣ１０はベース部２０のホルダ部２２０に対して２つの搭載状態で取り付けられることができる。第１の搭載状態では、タブレットＰＣ１０は、図２に示すように、タブレットＰＣ１０のディスプレイ１００及びタッチパネル１１０を有する表側がベース部２０のキーボード部２１０側に位置するようにホルダ部２２０に取り付けられる。一方、第２の搭載状態では、タブレットＰＣ１０は、第１の搭載状態に対して表裏反転してホルダ部２２０に取り付けられる。
【００１９】
［１−１−３．情報処理装置の電気的な構成］
図５は、実施の形態１にかかる情報処理装置１の第１の搭載状態における電気的な構成を示すブロック図であり、図６は、実施の形態１にかかる情報処理装置１の第２の搭載状態における電気的な構成を示すブロック図である。
【００２０】
図５に示すように、第１の搭載状態では、タブレットＰＣ１０の第１のアンテナ端子Ｔ１はベース部２０の第３のアンテナ端子Ｔ３に接続され、タブレットＰＣ１０の第２のアンテナ端子Ｔ２はベース部２０の第４のアンテナ端子Ｔ４に接続される。一方、図６に示すように、第２の搭載状態では、タブレットＰＣ１０の第１のアンテナ端子Ｔ１はベース部２０の第４のアンテナ端子Ｔ４に接続され、タブレットＰＣ１０の第２のアンテナ端子Ｔ２はベース部２０の第３のアンテナ端子Ｔ３に接続される。なお、第１及び第２の搭載状態のいずれにおいても、タブレットＰＣ１０の第１の制御端子Ｔ１１はベース部２０の第２の制御端子Ｔ２１に接続される。
【００２１】
タブレットＰＣ１０は、第１及び第２のアンテナ端子Ｔ１、Ｔ２と第１の制御端子Ｔ１１とに加えて、第１及び第２の通信部１１１、１１２と、第１及び第２の内部アンテナ１２１、１２２と、第１及び第２のアンテナ切替部１３１、１３２と、制御部３０と、端子切替部４０とを備える。
【００２２】
第１の通信部１１１は、Ｂｌｕｅｔｏｏｔｈ、Ｗｉ−Ｆｉ、３Ｇ、又は、ＬＴＥ等の通信方式に従った通信を行うための送受信用の通信モジュールである。第２の通信部１１２は、ＧＰＳ等の通信を行うための受信専用の通信モジュールである。なお、第１の通信部１１１と第２の通信部１１２とは一つの通信モジュールで構成されてもよい。
【００２３】
第１の内部アンテナ１２１は、Ｂｌｕｅｔｏｏｔｈ、Ｗｉ−Ｆｉ、３Ｇ、又は、ＬＴＥ等の通信方式に従う送受信用のアンテナである。第２の内部アンテナ１２２は、ＧＰＳ等の通信を行うための受信専用のアンテナである。
【００２４】
第１のアンテナ切替部１３１は、ベース部２０から受信したアンテナ切替信号（詳細は後述）に応じて、第１の通信部１１１と、第１の内部アンテナ１２１又は端子切替部４０（すなわち第１の外部アンテナ３１）との間の接続を切り替える。第２のアンテナ切替部１３２は、ベース部２０から受信したアンテナ切替信号に応じて、第２の通信部１１２と、第２の内部アンテナ１２２又は端子切替部４０（すなわち第２の外部アンテナ３２）との間の接続を切り替える。
【００２５】
制御部３０は、第１の制御端子Ｔ１１に接続される。制御部３０は、第１の制御端子Ｔ１１、ベース部２０における制御部３５及び第２の制御端子Ｔ２１と協働して、ベース部２０に対するタブレットＰＣ１０の搭載状態を検出する検出部として機能する。制御部３０は、検出したベース部２０に対するタブレットＰＣ１０の搭載状態を示す端子切替信号を出力する。端子切替信号は、例えば第１の搭載状態のときには「Ｈｉｇｈ」となり、第２の搭載状態のときには「Ｌｏｗ」となるように設定される。
【００２６】
端子切替部４０は、制御部３０からの端子切替信号に応じて、第１のアンテナ切替部１３１（すなわち第１の通信部１１１）と第１のアンテナ端子Ｔ１とを接続すると共に第２のアンテナ切替部１３２（すなわち第２の通信部１１２）と第２のアンテナ端子Ｔ２とを接続する第１の接続状態と、第１のアンテナ切替部１３１（すなわち第１の通信部１１１）と第２のアンテナ端子Ｔ２とを接続すると共に第２のアンテナ切替部１３２（すなわち第２の通信部１１２）と第１のアンテナ端子Ｔ１とを接続する第２の接続状態とを切り替える。
【００２７】
図５に示す第１の搭載状態では、端子切替部４０は、制御部３０からの「Ｈｉｇｈ」レベルの端子切替信号に基づき、第１のアンテナ切替部１３１を第１のアンテナ端子Ｔ１に接続し、第２のアンテナ切替部１３２を第２のアンテナ端子Ｔ２に接続するように切り替える。一方、図６に示す第２の搭載状態では、端子切替部４０は、制御部３０からの「Ｌｏｗ」レベルの端子切替信号に基づき、第１のアンテナ切替部１３１を第２のアンテナ端子Ｔ２に接続し、第２のアンテナ切替部１３２を第１のアンテナ端子Ｔ１に接続するように切り替える。
【００２８】
ベース部２０は、第３及び第４のアンテナ端子Ｔ３、Ｔ４と第２の制御端子Ｔ２１とに加え、第５及び第６のアンテナ端子Ｔ５、Ｔ６と、スイッチ２２と、制御部３５とを備える。
【００２９】
第５及び第６のアンテナ端子Ｔ５、Ｔ６は、ベース部２０の裏面に配置される。第５のアンテナ端子Ｔ５は、第３のアンテナ端子Ｔ３に接続されると共に第１の外部アンテナ３１に接続される。第６のアンテナ端子Ｔ６は、第４のアンテナ端子Ｔ４に接続されると共に第２の外部アンテナ３２に接続される。
【００３０】
これにより、図５に示す第１の搭載状態では、タブレットＰＣ１０の第１のアンテナ端子Ｔ１は、第１の外部アンテナ３１で受信する第１の信号を受信し、タブレットＰＣ１０の第２のアンテナ端子Ｔ２は、第２の外部アンテナ３２で受信する第２の信号を受信する（第１の受信状態）。一方、図６に示す第２の搭載状態では、タブレットＰＣ１０の第１のアンテナ端子Ｔ１は、第２の外部アンテナ３２で受信する第２の信号を受信し、タブレットＰＣ１０の第２のアンテナ端子Ｔ２は、第１の外部アンテナ３１で受信する第１の信号を受信する（第２の受信状態）。
【００３１】
第１の信号は、Ｂｌｕｅｔｏｏｔｈ、Ｗｉ−Ｆｉ、３Ｇ、又は、ＬＴＥ等の通信方式に従う信号であり、第１の外部アンテナ３１は、Ｂｌｕｅｔｏｏｔｈ、Ｗｉ−Ｆｉ、３Ｇ、又は、ＬＴＥ等の通信方式に従って通信を行うための送受信用のアンテナである。また、第２の信号は、ＧＰＳ等の通信方式に従う信号であり、第２の外部アンテナ３２は、ＧＰＳ等の通信を行うための受信専用のアンテナである。
【００３２】
スイッチ２２は、タブレットＰＣ１０において、第１及び第２の内部アンテナ１２１、１２２を利用するか、或いは第１及び第２の外部アンテナ３１、３２を利用するかをユーザが指定するためのスイッチである。スイッチ２２は、例えばベース部２０に設けられた機械的なスイッチであり、ユーザによって手動で操作される。スイッチ２２は、スイッチ２２の状態を示すアンテナ切替信号をタブレットＰＣ１０へ送信する。アンテナ切替信号は、スイッチ２２において、内部アンテナを利用するように設定されたときには「Ｈｉｇｈ」となり、外部アンテナを利用するように設定されたときには「Ｌｏｗ」となるように設定される。
【００３３】
制御部３５は、スイッチ２２及び第２の制御端子Ｔ２１に接続される。制御部３５は、第２の制御端子Ｔ２１、タブレットＰＣ１０における制御部３０及び第１の制御端子Ｔ１１と協働して、ベース部２０に対するタブレットＰＣ１０の搭載状態を検出する検出部として機能する。
【００３４】
［１−２．動作］
以上のように構成された情報処理装置１及びタブレットＰＣ１０について、その動作を以下に説明する。
【００３５】
まず、制御部３０、３５、及び、第１及び第２の制御端子Ｔ１１、Ｔ２１による、ベース部２０に対するタブレットＰＣ１０の第１の搭載状態、及び、第１の搭載状態に対して表裏反転した第２の搭載状態の検出について説明する。図７は、第１の搭載状態における制御部３０、３５間の電気的な接続を示す図であり、図８は、第２の搭載状態における制御部３０、３５間の電気的な接続を示す図である。
【００３６】
図７に示すように、第１の搭載状態では、第１の制御端子Ｔ１１のピンＰ１〜Ｐ２５はそれぞれ、第２の制御端子Ｔ２１のピンＰ１〜Ｐ２５に接続される。一方、図８に示すように、第２の接続状態では、第１の制御端子Ｔ１１のピンＰ１〜Ｐ２５はそれぞれ、第２の制御端子Ｔ２１のピンＰ２５〜Ｐ１に接続される。
【００３７】
タブレットＰＣ１０の制御部３０は、制御回路であるＥＣ（Embedded Computer）３３とＰチャネルトランジスタＴｒ１１、Ｔｒ１２とを備える。
【００３８】
ＥＣ３３のピンＩＯ１、ＩＯ２は、ベース部２０に対するタブレットＰＣ１０の搭載状態を検出するための端子である。ＥＣ３３のピンＩＯ１はトランジスタＴｒ１１のソース端子に接続され、トランジスタＴｒ１１のドレイン端子は接地される。トランジスタＴｒ１１のゲート端子は第１の制御端子Ｔ１１のピンＰ９に接続されると共に、抵抗素子を介して接地される。一方、ＥＣ３３のピンＩＯ２はトランジスタＴｒ１２のソース端子に接続され、トランジスタＴｒ１２のドレイン端子は接地される。トランジスタＴｒ１２のゲート端子は第１の制御端子Ｔ１１のピンＰ１７に接続されると共に、抵抗素子を介して接地される。
【００３９】
第１の搭載状態では、図７に示すように、トランジスタＴｒ１１のゲート端子には、ピンＰ９を介してベース部２０の制御部３５から基準電圧ＶＲＥＦが入力され、トランジスタＴｒ１１がオフ状態となる。このため、ＥＣ３３のピンＩＯ１は解放状態となる。一方、トランジスタＴｒ１２のゲート端子は、ピンＰ１７を介してグランド電位に接続され、トランジスタＴｒ１２がオン状態となる。このため、ＥＣ３３のピンＩＯ２は「Ｌｏｗ」レベルとなる。ＥＣ３３は、このように、ピンＩＯ１が解放状態となり、ピンＩＯ２がＬＯＷレベルとなるときに第１の搭載状態を検出して、第１の搭載状態を示す「Ｈｉｇｈ」レベルの端子切替信号を端子切替部４０に送信する。
【００４０】
一方、第２の接続状態では、図８に示すように、トランジスタＴｒ１１のゲート端子には、ピンＰ９及びピンＰ１７を介してグランド電位に接続され、トランジスタＴｒ１１がオン状態となる。このため、ＥＣ３３のピンＩＯ１は「Ｌｏｗ」レベルとなる。一方、トランジスタＴｒ１２のゲート端子には、ピンＰ１７及びピンＰ９を介してベース部２０の制御部３５から基準電圧ＶＲＥＦが入力され、トランジスタＴｒ１２がオフ状態となる。このため、ＥＣ３３のピンＩＯ２は解放状態となる。ＥＣ３３は、このように、ピンＩＯ１がＬＯＷレベルとなり、ピンＩＯ２が解放状態となるときに第２の搭載状態を検出して、第２の搭載状態を示す「Ｌｏｗ」レベルの端子切替信号を端子切替部４０に送信する。
【００４１】
また、ＥＣ３３のピンＩＯ３、ＩＯ４は、スイッチ２２からのアンテナ切替信号を受信するための端子である。ピンＩＯ３、ＩＯ４はスイッチ２２に接続される。ＥＣ３３は、第１及び第２の搭載状態のいずれであっても、ピンＩＯ３又はピンＩＯ４にスイッチ２２からアンテナ切替信号を受信する。
【００４２】
また、ＥＣ３３のピンＩＯ３、ＩＯ４は、タブレットＰＣ１０の単独使用状態も検出する。ＥＣ３３は、ＥＣ３３のピンＩＯ３、ＩＯ４が解放状態となるときに、タブレットＰＣ１０がベース部２０から取り外され、第１の制御端子Ｔ１１のピンＰ１、Ｐ２５が解放状態となったことを検出し、第１及び第２のアンテナ切替部１３１、１３２に「Ｈｉｇｈ」レベルのアンテナ切替信号を送信する。
【００４３】
［１−２−１．単独状態］
図３に示すようにタブレットＰＣ１０を単独で使用する場合、図７に示す第１の制御端子Ｔ１１のピンＰ１、Ｐ２５が解放状態となり、制御部３０のＥＣ３３のピンＩＯ３、ＩＯ４が解放状態となる。このとき、ＥＣ３３は、第１の通信部１１１を第１の内部アンテナ１２１に接続するように第１のアンテナ切替部１３１を制御する。同時に、ＥＣ３３は、第２の通信部１１２を第２の内部アンテナ１２２に接続するように第２のアンテナ切替部１３２を制御する（図５の第１及び第２のアンテナ切替部１３１、１３２において破線で示す）。
【００４４】
これにより、第１の通信部１１１は、第１の内部アンテナ１２１を用いて通信を行うことができ、第２の通信部１１２は、第２の内部アンテナ１２２を用いて通信を行うことができる。
【００４５】
［１−２−２．第１の搭載状態］
図２及び図５に示すように、タブレットＰＣ１０を第１の搭載状態でベース部２０のホルダ部２２０に取り付けた場合、タブレットＰＣ１０の第１のアンテナ端子Ｔ１はベース部２０の第３のアンテナ端子Ｔ３に接続され、第２のアンテナ端子Ｔ２はベース部２０の第４のアンテナ端子Ｔ４に接続される。このとき、図７に示すように、第１の制御端子Ｔ１１のピンＰ１〜Ｐ２５はそれぞれ、第２の制御端子Ｔ２１のピンＰ１〜Ｐ２５に接続される。
【００４６】
また、図７に示すように、制御部３０のトランジスタＴｒ１２のゲート端子が接地され、トランジスタＴｒ１２がオン状態となり、ＥＣ３３のピンＩＯ２が「Ｌｏｗ」となる。同時に、トランジスタＴｒ１１のゲート端子に基準電圧ＶＲＥＦが入力され、トランジスタＴｒ１１がオフ状態となり、ＥＣ３３のピンＩＯ１が開放状態となる。制御部３０のＥＣ３３は、第１の搭載状態を検出すると、「Ｈｉｇｈ」レベルの端子切替信号を端子切替部４０に送信し、図５に示すように、第１のアンテナ切替部１３１（すなわち第１の通信部１１１）を第１のアンテナ端子Ｔ１に接続すると共に、第２のアンテナ切替部１３２（すなわち第２の通信部１１２）を第２のアンテナ端子Ｔ２に接続するように端子切替部４０を制御する。
【００４７】
これにより、第１の通信部１１１は、第１の外部アンテナ３１を用いて通信を行うことができ、第２の通信部１１２は、第２の外部アンテナ３２を用いて通信を行うことができる。
【００４８】
ここで、タブレットＰＣ１０をベース部２０に搭載して車両内で使用する場合、車両内がシールドされていて第１及び第２の内部アンテナ１２１、１２２での通信が困難である。そのため、ユーザは第１及び第２の外部アンテナ３１、３２を使用するように、スイッチ２２を操作する。これにより、スイッチ２２からのアンテナ切替信号は「Ｌｏｗ」となるため、制御部３０のＥＣ３３のピンＩＯ３、ＩＯ４にＬＯＷレベルの信号が入力される。これにより、ＥＣ３３は、第１のアンテナ切替部１３１に「ＬＯＷレベル」のアンテナ切替信号を送信し、第１の通信部１１１を端子切替部４０（すなわち第１の外部アンテナ３１）に接続するように第１のアンテナ切替部１３１を制御する。同時に、ＥＣ３３は、第２のアンテナ切替部１３２に「ＬＯＷレベル」のアンテナ切替信号を送信し、第２の通信部１１２を端子切替部４０（すなわち第２の外部アンテナ３２）に接続するように第２のアンテナ切替部１３２を制御する（図５の第１及び第２のアンテナ切替部１３１、１３２において実線で示す）。
【００４９】
また、ユーザが第１及び第２の内部アンテナ１２１、１２２を使用するように、スイッチ２２を操作する場合は、スイッチ２２からのアンテナ切替信号は「Ｈｉｇｈ」となる。このため、制御部３０のＥＣ３３のピンＩＯ３、ＩＯ４にＨｉｇｈレベルの信号が入力される。これにより、ＥＣ３３は、第１のアンテナ切替部１３１に「ＨＩｇｈレベル」のアンテナ切替信号を送信し、第１の通信部１１１を第１の内部アンテナ１２１に接続するように第１のアンテナ切替部１３１を制御する。同時に、ＥＣ３３は、第２のアンテナ切替部１３２に「Ｈｉｇｈレベル」のアンテナ切替信号を送信し、第２の通信部１１２を第２の内部アンテナ１２２に接続するように第２のアンテナ切替部１３２を制御する（図５の第１及び第２のアンテナ切替部１３１、１３２において点線で示す）。
【００５０】
これにより、第１の通信部１１１は、第１の外部アンテナ３１及び第１の内部アンテナ１２１のいずれか一方を用いて通信を行うことができ、第２の通信部１１２は、第２の外部アンテナ３２及び第２の内部アンテナ１２２のいずれか一方を用いて通信を行うことができる。
【００５１】
［１−２−３．第２の搭載状態］
図６に示すように、タブレットＰＣ１０を第２の搭載状態でベース部２０のホルダ部２２０に取り付けた場合、タブレットＰＣ１０の第１のアンテナ端子Ｔ１はベース部２０の第４のアンテナ端子Ｔ４に接続され、第２のアンテナ端子Ｔ２はベース部２０の第３のアンテナ端子Ｔ３に接続される。このとき、図８に示すように、第１の制御端子Ｔ１１のピンＰ１〜Ｐ２５はそれぞれ、第２の制御端子Ｔ２１のピンＰ２５〜Ｐ１に接続される。
【００５２】
このとき、制御部３０のトランジスタＴｒ１１のゲート端子が接地され、トランジスタＴｒ１１がオン状態となり、ＥＣ３３のピンＩＯ１が「Ｌｏｗ」レベルとなる。同時に、トランジスタＴｒ１２のゲート端子に基準電圧ＶＲＥＦが入力され、トランジスタＴｒ１２がオフ状態となり、ＥＣ３３のピンＩＯ２が開放状態となる。制御部３０のＥＣ３３は、第２の接続状態を検出すると、「Ｌｏｗ」レベルの端子切替信号を端子切替部４０に送信し、図６に示すように、第１のアンテナ切替部１３１（すなわち第１の通信部１１１）を第２のアンテナ端子Ｔ２に接続すると共に、第２のアンテナ切替部１３２（すなわち第２の通信部１１２）を第１のアンテナ端子Ｔ１に接続するように端子切替部４０を制御する。
【００５３】
これにより、第２の搭載状態でも第１の搭載状態と同様に、第１の通信部１１１は、第１の外部アンテナ３１を用いて通信を行うことができ、第２の通信部１１２は、第２の外部アンテナ３２を用いて通信を行うことができる。
【００５４】
［１−３．効果等］
以上のように、本実施の形態において、タブレットＰＣ（無線通信装置）１０は、第１及び第２の通信部１１１、１１２と、第１及び第２のアンテナ端子Ｔ１、Ｔ２と、端子切替部４０と、制御部３０とを備える。第１のアンテナ端子Ｔ１は第１及び第２の信号の一方を受信し、第２のアンテナ端子Ｔ２は第１及び第２の信号の他方を受信する。端子切替部４０は、第１の通信部１１１と第１のアンテナ端子Ｔ１とを接続すると共に第２の通信部１１２と第２のアンテナ端子Ｔ２とを接続する第１の接続状態と、第１の通信部１１１と第２の端子Ｔ２とを接続すると共に第２の通信部１１２と第１のアンテナ端子Ｔ１とを接続する第２の接続状態とを切り替える。制御部３０は、第１のアンテナ端子Ｔ１に第１の信号を受信すると共に第２のアンテナ端子Ｔ２に第２の信号を受信する第１の受信状態において、第１の接続状態に切り替えるように端子切替部４０を制御し、第１のアンテナ端子Ｔ１に第２の信号を受信すると共に第２のアンテナ端子Ｔ２に第１の信号を受信する第２の受信状態において、第２の接続状態に切り替えるように端子切替部４０を制御する。
【００５５】
また、本実施の形態において、情報処理装置（無線通信システム）１は、上記タブレットＰＣ（無線通信装置）１０とベース部２０とを備える。ベース部２０は、タブレットＰＣ１０を着脱可能に搭載し、第１の信号を出力する第３のアンテナ端子Ｔ３と、第２の信号を出力する第４のアンテナ端子Ｔ４とを有する。上記第１の受信状態では、第１のアンテナ端子Ｔ１が第３のアンテナ端子Ｔ３に接続されると共に第２のアンテナ端子Ｔ２が第４のアンテナ端子Ｔ４に接続されるように、タブレットＰＣ１０がベース部２０に搭載され（第１の搭載状態）、上記第２の受信状態では、第１のアンテナ端子Ｔ１が第４のアンテナ端子Ｔ４に接続されると共に第２のアンテナ端子Ｔ２が第３のアンテナ端子Ｔ３に接続されるように、タブレットＰＣ１０がベース部２０に搭載される（第２の搭載状態）。
【００５６】
これにより、タブレットＰＣ（無線通信装置）１０が第１の搭載状態に対して表裏反転（１８０°回転）した第２の搭載状態でベース部２０に取り付けられ、第１のアンテナ端子Ｔ１と第２のアンテナ端子Ｔ２とが受信する信号が入れ替わっても、タブレットＰＣ１０が第１の搭載状態でベース部２０に取り付けられたときと同様に、第１の通信部１１１と第１の信号との関係、及び、第２の通信部１１２と第２の信号との関係が保持される。
【００５７】
言い換えれば、第１及び第２のアンテナ端子Ｔ１、Ｔ２と第１及び第２の外部アンテナ３１、３２との接続が入れ替わっても、第１の通信部１１１と第１の外部アンテナ３１との接続関係、及び、第２の通信部１１２と第２の外部アンテナ３２との接続関係が保持される。
【００５８】
（実施の形態２）
実施の形態１では、タブレットＰＣ１０内に端子切替部４０を備えた構成を説明した。これに対して、実施の形態２では、ベース部内に端子切替部を備えた構成を説明する。以下、図９〜図１２を用いて、実施の形態２を説明する。
【００５９】
図９は、実施の形態２にかかる情報処理装置１Ａの第１の搭載状態における電気的な構成を示すブロック図であり、図１０は、実施の形態２にかかる情報処理装置１Ａの第２の搭載状態における電気的な構成を示すブロック図である。情報処理装置１Ａは、タブレットＰＣ１０Ａとベース部２０Ａとを備える。
【００６０】
実施の形態２のタブレットＰＣ１０Ａは、実施の形態１のタブレットＰＣ１０と比較して、端子切替部４０を備えず、第１の通信部１１１に対する第１のアンテナ切替部１３１が第１のアンテナ端子Ｔ１に常時接続され、第２の通信部１１２に対する第２のアンテナ切替部１３２が第２のアンテナ端子Ｔ２に常時接続される点で異なる。
【００６１】
また、実施の形態２のタブレットＰＣ１０Ａは、制御部３５Ａを備える。制御部３５Ａは、第１の制御端子Ｔ１１に接続される。制御部３５Ａは、第１の制御端子Ｔ１１、ベース部２０Ａにおける制御部３０Ａ及び第２の制御端子Ｔ２１と協働して、ベース部２０Ａに対するタブレットＰＣ１０Ａの搭載状態を検出する検出部として機能する。
【００６２】
実施の形態２のベース部２０Ａは、実施の形態１のベース部２０と比較して、端子切替部４０をさらに備える点で異なる。端子切替部４０は、制御部３０Ａからの端子切替信号に応じて、第３のアンテナ端子Ｔ３と第５のアンテナ端子Ｔ５（すなわち第１の外部アンテナ３１）とを接続すると共に第４のアンテナ端子Ｔ４と第６のアンテナ端子Ｔ６（すなわち第２の外部アンテナ３２）とを接続する第１の接続状態と、第３のアンテナ端子Ｔ３と第６のアンテナ端子Ｔ６（すなわち第２の外部アンテナ３２）とを接続すると共に第４のアンテナ端子Ｔ４と第５のアンテナ端子Ｔ５（すなわち第１の外部アンテナ３１）とを接続する第２の接続状態とを切り替える。
【００６３】
ベース部２０Ａの制御部３０Ａは、ＥＣ３３とＰチャネルトランジスタＴｒ１１、Ｔｒ１２とを備える。
【００６４】
ＥＣ３３のピンＩＯ１、ＩＯ２は、ベース部２０Ａに対するタブレットＰＣ１０Ａの搭載状態を検出するための端子である。ピンＩＯ１はトランジスタＴｒ１１のソース端子に接続される。トランジスタＴｒ１１のドレイン端子は接地される。トランジスタＴｒ１１のゲート端子は第２の制御端子Ｔ２１のピンＰ９に接続されると共に、抵抗素子を介して接地される。一方、ピンＩＯ２はトランジスタＴｒ１２のソース端子に接続される。トランジスタＴｒ１２のドレイン端子は接地される。トランジスタＴｒ１２のゲート端子は第２の制御端子Ｔ２１のピンＰ１７に接続されると共に、抵抗素子を介して接地される。
【００６５】
タブレットＰＣ１０Ａの制御部３５Ａは、ＥＣ３６を備える。ＥＣ３６のピンＩＯ３、ＩＯ４は、スイッチ２２の状態を検出するための端子である。ＥＣ３６のピンＩＯ３、ＩＯ４はスイッチ２２に接続される。ＥＣ３６は、第１及び第２の搭載状態のいずれであっても、ピンＩＯ３又はピンＩＯ４を介してスイッチ２２からアンテナ切替信号を受信する。
【００６６】
図９に示す第１の搭載状態では、制御部３０Ａは「Ｈｉｇｈ」レベルの端子切替信号を出力し、端子切替部４０は、その端子切替信号に応じて、第３のアンテナ端子Ｔ３を第５のアンテナ端子Ｔ５に接続し、第４のアンテナ端子Ｔ４を第６のアンテナ端子Ｔ６に接続する。一方、図１０に示す第２の搭載状態では、制御部３０Ａは「Ｌｏｗ」レベルの端子切替信号を出力し、端子切替部４０は、その端子切替信号に応じて、第３のアンテナ端子Ｔ３を第６のアンテナ端子Ｔ６に接続し、第４のアンテナ端子Ｔ４を第５のアンテナ端子Ｔ５に接続する。
【００６７】
また、ベース部２０Ａの制御部３０Ａは、スイッチ２２及び第２の制御端子Ｔ２１に接続される。制御部３０Ａは、第２の制御端子Ｔ２１、タブレットＰＣ１０Ａにおける制御部３５Ａ及び第１の制御端子Ｔ１１と協働して、ベース部２０Ａに対するタブレットＰＣ１０Ａの搭載状態を検出する検出部として機能する。
【００６８】
以下、制御部３０Ａ、３５Ａ、及び、第１及び第２の制御端子Ｔ１１、Ｔ２１による、ベース部２０Ａに対するタブレットＰＣ１０Ａの第１及び第２の搭載状態の検出について説明する。図１１は、第１の搭載状態における制御部３０Ａ、３５Ａ間の電気的な接続を示す図であり、図１２は、第２の搭載状態における制御部３０Ａ、３５Ａ間の電気的な接続を示す図である。
【００６９】
図１１に示すように、第１の搭載状態では、第１の制御端子Ｔ１１のピンＰ１〜Ｐ２５はそれぞれ、第２の制御端子Ｔ２１のピンＰ１〜Ｐ２５に接続される。一方、図１２に示すように、第２の搭載状態では、第１の制御端子Ｔ１１のピンＰ１〜Ｐ２５はそれぞれ、第２の制御端子Ｔ２１のピンＰ２５〜Ｐ１に接続される。
【００７０】
第１の搭載状態では、図１１に示すように、トランジスタＴｒ１１のゲート端子には、ピンＰ９を介してタブレットＰＣ１０Ａの制御部３５Ａから基準電圧ＶＲＥＦが入力され、トランジスタＴｒ１１がオフ状態となる。このため、ＥＣ３３のピンＩＯ１は解放状態となる。一方、トランジスタＴｒ１２のゲート端子は、ピンＰ１７を介してグランド電位に接続され、トランジスタＴｒ１２がオン状態となる。このため、ＥＣ３３のピンＩＯ２は「Ｌｏｗ」レベルとなる。ＥＣ３３は、このように、ピンＩＯ１が解放状態となり、ピンＩＯ２がＬＯＷレベルとなるときに第１の搭載状態を検出して、第１の搭載状態を示す「Ｈｉｇｈ」レベルの端子切替信号を端子切替部４０に送信する。
【００７１】
一方、第２の接続状態では、図１２に示すように、トランジスタＴｒ１１のゲート端子には、ピンＰ９及びピンＰ１７を介してグランド電位に接続され、トランジスタＴｒ１１がオン状態となる。このため、ＥＣ３３のピンＩＯ１は「Ｌｏｗ」レベルとなる。一方、トランジスタＴｒ１２のゲート端子には、ピンＰ１７及びピンＰ９を介してタブレットＰＣ１０Ａの制御部３５Ａから基準電圧ＶＲＥＦが入力され、トランジスタＴｒ１２がオフ状態となる。このため、ＥＣ３３のピンＩＯ２は解放状態となる。ＥＣ３３は、このように、ピンＩＯ１がＬＯＷレベルとなり、ピンＩＯ２が解放状態となるときに第２の搭載状態を検出して、第２の搭載状態を示す「Ｌｏｗ」レベルの端子切替信号を端子切替部４０に送信する。
【００７２】
［第１の搭載状態］
タブレットＰＣ１０Ａを第１の搭載状態でベース部２０Ａのホルダ部に取り付けた場合、図９に示すように、タブレットＰＣ１０Ａの第１のアンテナ端子Ｔ１はベース部２０Ａの第３のアンテナ端子Ｔ３に接続され、第２のアンテナ端子Ｔ２はベース部２０Ａの第４のアンテナ端子Ｔ４に接続される。このとき、図１１に示すように、第１の制御端子Ｔ１１のピンＰ１〜Ｐ２５はそれぞれ、第２の制御端子Ｔ２１のピンＰ１〜Ｐ２５に接続される。
【００７３】
このとき、図１１に示すように、制御部３０ＡのトランジスタＴｒ１２のゲート端子の電位はグランド電位となり、トランジスタＴｒ１２がオン状態となり、ＥＣ３３のピンＩＯ２が「Ｌｏｗ」となる。同時に、トランジスタＴｒ１１のゲート端子に基準電圧ＶＲＥＦが入力され、トランジスタＴｒ１１がオフ状態となり、ＥＣ３３のピンＩＯ１が開放状態となる。このようなピンＩＯ１、ＩＯ２の状態に基づき、制御部３０ＡのＥＣ３３は、第１の搭載状態を検出して、「Ｈｉｇｈ」レベルの端子切替信号を端子切替部４０に送信する。これにより、図９に示すように、第３のアンテナ端子Ｔ３（すなわち第１の通信部１１１）が第５のアンテナ端子Ｔ５に接続されると共に、第４のアンテナ端子Ｔ４（すなわち第２の通信部１１２）が第６のアンテナ端子Ｔ６に接続されるように端子切替部４０が制御される。
【００７４】
これにより、第１の通信部１１１は、第１の外部アンテナ３１を用いて通信を行うことができ、第２の通信部１１２は、第２の外部アンテナ３２を用いて通信を行うことができる。
【００７５】
［第２の搭載状態］
一方、タブレットＰＣ１０Ａを第２の搭載状態でベース部２０Ａのホルダ部に取り付けた場合、図１０に示すように、タブレットＰＣ１０Ａの第１のアンテナ端子Ｔ１はベース部２０Ａの第４のアンテナ端子Ｔ４に接続され、第２のアンテナ端子Ｔ２はベース部２０Ａの第３のアンテナ端子Ｔ３に接続される。このとき、図１２に示すように、第１の制御端子Ｔ１１のピンＰ１〜Ｐ２５はそれぞれ、第２の制御端子Ｔ２１のピンＰ２５〜Ｐ１に接続される。
【００７６】
このとき、図１２に示すように、制御部３０ＡのトランジスタＴｒ１１のゲート端子の電位はグランド電位となり、トランジスタＴｒ１１がオン状態となり、ＥＣ３３のピンＩＯ１が「Ｌｏｗ」レベルとなる。同時に、制御部３０ＡのトランジスタＴｒ１２のゲート端子に基準電圧ＶＲＥＦが入力され、トランジスタＴｒ１２がオフ状態となり、ＥＣ３３のピンＩＯ２が開放状態となる。このようなピンＩＯ１、ＩＯ２の状態に基づき、制御部３０ＡのＥＣ３３は、第２の接続状態を検出して、「Ｌｏｗ」レベルの端子切替信号を端子切替部４０に送信する。これにより、図１０に示すように、第３のアンテナ端子Ｔ３（すなわち第１の通信部１１１）が第６のアンテナ端子Ｔ６に接続されると共に、第４のアンテナ端子Ｔ４（すなわち第２の通信部１１２）が第５のアンテナ端子Ｔ５に接続されるように端子切替部４０が制御される。
【００７７】
これにより、第２の搭載状態でも第１の搭載状態と同様に、第１の通信部１１１は、第１の外部アンテナ３１を用いて通信を行うことができ、第２の通信部１１２は、第２の外部アンテナ３２を用いて通信を行うことができる。
【００７８】
以上のように、本実施の形態でも、タブレットＰＣ（無線通信装置）１０Ａを第２の搭載状態でベース部２０Ａに搭載し、第１のアンテナ端子Ｔ１と第２のアンテナ端子Ｔ２とが受信する信号が入れ替わっても、タブレットＰＣ１０Ａを第１の搭載状態でベース部２０Ａに搭載したときと同様に、第１の通信部１１１と第１の信号との関係、及び、第２の通信部１１２と第２の信号との関係が保持される。
【００７９】
言い換えれば、第１及び第２のアンテナ端子Ｔ１、Ｔ２と第１及び第２の外部アンテナ３１、３２との接続が入れ替わっても、第１の通信部１１１と第１の外部アンテナ３１との接続関係、及び、第２の通信部１１２と第２の外部アンテナ３２との接続関係が保持される。
【００８０】
（他の実施の形態）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記実施の形態１及び２で説明した各構成要素を組み合わせて、新たな実施の形態とすることも可能である。
【００８１】
本実施の形態では、第１の通信部１１１としてＢｌｕｅｔｏｏｔｈ、Ｗｉ−Ｆｉ、３Ｇ（第３世代移動通信システム）又はＬＴＥ（Long Term Evolution）等の通信方式に従った通信を行うための送受信用の通信モジュールを、第２の通信部１１２としてＧＰＳ等の通信を行うための受信専用の通信モジュールを説明したが、本開示はこれに限定されない。本開示の第１及び第２の通信部１１１、１１２は、ＧＰＳ（Global Positioning System）、Ｂｌｕｅｔｏｏｔｈ、Ｗｉ−Ｆｉ、３Ｇ及びＬＴＥ等のうちのいずれかの通信方式に従った通信を行うための送受信用の通信モジュールであってもよい。この場合、第１及び第２の内部アンテナ１２１、１２２、及び、第１及び第２の外部アンテナ３１、３２は、第１及び第２の通信部１１１、１１２の通信方式に対応した通信方式の送受信用アンテナであればよい。このような形態において、第１の通信部１１１の通信方式と第２の通信部１１２の通信方式とが互いに異なる場合に、本開示の思想が適用できる。
【００８２】
また、本実施の形態では、２つの通信部と２つのアンテナ端子とを備えるタブレットＰＣを説明したが、本開示はこれに限定されない。本開示の思想は、２つの通信部と２つのアンテナ端子とを備え、２つのアンテナ端子が受信する信号が入れ替わるような種々の装置に適用できる。
【００８３】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００８４】
本開示は、外部アンテナを利用して無線通信を行うことができる無線通信装置に適用可能である。
【符号の説明】
【００８５】
１、１Ａ    情報処理装置（無線通信システム）
２    車両
３１、３２    第１及び第２の外部アンテナ
１０、１０Ａ    タブレットＰＣ（無線通信装置）
１１１、１１２    第１及び第２の通信部
１２１、１２２    第１及び第２の内部アンテナ
１３１、１３２    第１及び第２のアンテナ切替部
２０、２０Ａ    ベース部
２２    スイッチ
３０、３５、３０Ａ、３５Ａ    制御部（検出部）
３３、３６    ＥＣ
４０    端子切替部
１００    ディスプレイ
１１０    タッチパネル
２１０    キーボード部
２１１    キーボード
２１２    タッチパッド
２１３    操作ボタン
２２０    ホルダ部
２３０    ヒンジ
２４０    リリース用レバー
Ｔ１、Ｔ２    第１及び第２のアンテナ端子
Ｔ３、Ｔ４    第３及び第４のアンテナ端子
Ｔ５、Ｔ６    第５及び第６のアンテナ端子
Ｔ１１、Ｔ２１    第１及び第２の制御端子
【手続補正２】
【補正対象書類名】特許請求の範囲
【補正対象項目名】全文
【補正方法】変更
【補正の内容】
【特許請求の範囲】
【請求項１】
第１及び第２の通信部と、
第１及び第２の信号の一方を受信する第１のアンテナ端子と、
前記第１及び第２の信号の他方を受信する第２のアンテナ端子と、
前記第１の通信部と前記第１のアンテナ端子とを接続すると共に前記第２の通信部と前記第２のアンテナ端子とを接続する第１の接続状態と、前記第１の通信部と前記第２のアンテナ端子とを接続すると共に前記第２の通信部と前記第１のアンテナ端子とを接続する第２の接続状態とを切り替える端子切替部と、
前記第１のアンテナ端子に前記第１の信号を受信すると共に前記第２のアンテナ端子に前記第２の信号を受信する第１の受信状態において、前記第１の接続状態に切り替えるように前記端子切替部を制御し、前記第１のアンテナ端子に前記第２の信号を受信すると共に前記第２のアンテナ端子に前記第１の信号を受信する第２の受信状態において、前記第２の接続状態に切り替えるように前記端子切替部を制御する制御部と、
を備える無線通信装置。
【請求項２】
前記第１の通信部及び前記第２の通信部は、それぞれ、送受信用または受信用の通信モジュールであり、
前記第１の通信部の通信方式と、前記第２の通信部の通信方式とは互いに異なる、
請求項１に記載の無線通信装置。
【請求項３】
前記第１の信号は第１の外部アンテナで受信する信号であり、
前記第２の信号は第２の外部アンテナで受信する信号である、
請求項１に記載の無線通信装置。
【請求項４】
第１の内部アンテナと、
第２の内部アンテナと、
前記第１の通信部を前記第１の内部アンテナ又は前記端子切替部に接続する第１のアンテナ切替部と、
前記第２の通信部を前記第２の内部アンテナ又は前記端子切替部に接続する第２のアンテナ切替部と、
をさらに備える請求項１に記載の無線通信装置。
【請求項５】
前記第１の通信部及び前記第２の通信部は、それぞれ、ＧＰＳ、Ｂｌｕｅｔｏｏｔｈ、Ｗｉ−Ｆｉ、３Ｇ、及び、ＬＴＥのいずれかの通信方式に従う送受信用または受信用の通信モジュールである、
請求項２に記載の無線通信装置。
【請求項６】
請求項１〜５の何れか１項に記載の無線通信装置と、
前記無線通信装置を着脱可能に搭載し、前記第１の信号を出力する第３のアンテナ端子と、前記第２の信号を出力する第４のアンテナ端子とを有するベース部と、
を備える、
無線通信システム。
【請求項７】
前記第１の受信状態と前記第２の受信状態とを検出する検出部をさらに備える、
請求項６に記載の無線通信システム。
【請求項８】
無線通信装置と、
前記無線通信装置を搭載するベース部と、
を備え、
前記無線通信装置は、
第１及び第２の通信部と、
前記第１の通信部に接続される第１のアンテナ端子と、
前記第２の通信部に接続される第２のアンテナ端子と、
を有し、
前記ベース部は、
前記第１及び第２のアンテナ端子の一方に接続される第３のアンテナ端子と、
前記第１及び第２のアンテナ端子の他方に接続される第４のアンテナ端子と、
第１の信号を受信する第５のアンテナ端子と、
第２の信号を受信する第６のアンテナ端子と、
前記第３のアンテナ端子と前記第５のアンテナ端子とを接続すると共に前記第４のアンテナ端子と前記第６のアンテナ端子とを接続する第１の接続状態と、前記第３のアンテナ端子と前記第６のアンテナ端子とを接続すると共に前記第４のアンテナ端子と前記第５のアンテナ端子とを接続する第２の接続状態とを切り替える端子切替部と、
前記端子切替部を制御する制御部と、
を備え、
前記制御部は、前記第１のアンテナ端子と前記第３のアンテナ端子とが接続されると共に前記第２のアンテナ端子と前記第４のアンテナ端子とが接続されるように前記無線通信装置が前記ベース部に搭載されたときは、前記第１の接続状態に切り替え、前記第１のアンテナ端子と前記第４のアンテナ端子とが接続されると共に前記第２のアンテナ端子と前記第３のアンテナ端子とが接続されるように前記無線通信装置が前記ベース部に搭載されたときは、前記第２の接続状態に切り替えるように、前記端子切替部を制御する、
無線通信システム。
【手続補正３】
【補正対象書類名】図面
【補正対象項目名】全図
【補正方法】変更
【補正の内容】
【図１】
2017145528.tif 000015
【図２】
2017145528.tif 000016
【図３】
2017145528.tif 000017
【図４】
2017145528.tif 000018
【図５】
2017145528.tif 000019
【図６】
2017145528.tif 000020
【図７】
2017145528.tif 000021
【図８】
2017145528.tif 000022
【図９】
2017145528.tif 000023
【図１０】
2017145528.tif 000024
【図１１】
2017145528.tif 000025
【図１２】
2017145528.tif 000026
【国際調査報告】
2017145528.tif 000027
2017145528.tif 000028